(57)【要約】【課題】  遊技機において、遊技媒体の獲得に関与する回路装置を一旦取り外して不正な改変を加えるような不正行為が実行されることを抑制する。【解決手段】  遊技機の構成を、前面ブロック１２１と、背面基体（背面ブロック基体５００）に着脱自在に取着された遊技媒体の獲得に関与する回路装置（電源制御装置５７０及び払出制御装置５８０）を含み、前面ブロック１２１の後方側において前面ブロック１２１に対して開閉自在に支持された背面ブロック（払出ブロック１２２）とを備え、背面ブロックに対して移動自在に支持されて前面ブロックと背面ブロックとの間の空間内で移動する基体部１１及び回路装置の離脱を禁止する離脱禁止位置と回路装置の離脱を許容する離脱許容位置との間を移動する離脱規制部（着脱規制部１４）を含む離脱規制体（着脱規制体１０）を更に備える構成とする。【選択図】  図４７
2010213956.tif 000002
【特許請求の範囲】
【請求項１】
前面ブロックと、前記前面ブロックの後方に配置され、背面基体及び前記背面基体に着脱自在に取着された遊技媒体の獲得に関与する回路装置を含む背面ブロックと、前記前面ブロックに対して前記背面ブロックを開閉自在に支持するブロック間支持機構とを備える遊技機であって、
前記背面ブロックに対して移動自在に支持され、前記背面基体からの前記回路装置の離脱を規制する離脱規制体を更に備え、
前記離脱規制体は、
前記背面ブロックの前面側において移動自在に支持され、前記前面ブロックに対する前記背面ブロックの開放状態において、前記前面ブロックと前記背面ブロックとの間の空間内で移動する基体部と、
前記前面ブロックに対する前記背面ブロックの開放状態における前記基体部の移動に応じて、前記回路装置の離脱を禁止する離脱禁止位置と前記回路装置の離脱を許容する離脱許容位置との間を移動する離脱規制部と、
を含むことを特徴とする遊技機。
【発明の詳細な説明】
【技術分野】
【０００１】
本発明は、球体を遊技媒体として使用するパチンコ機やアレンジボール機などの弾球遊技機やメダル又は球体を遊技媒体として使用する回胴式遊技機に代表される遊技機に関する。
【背景技術】
【０００２】
従来の典型的な遊技機は、遊技ホール内の遊技機固定設備（一般的に島設備と称される）に固定される枠体と、枠体に対して開閉自在に支持された遊技機本体とで構成されている。遊技機本体は、遊技機が遊技機固定設備への設置後においても、その内部を適宜に表出できるように互いに開閉自在に支持された複数のブロックで構成されている。一般的には、遊技機の前面側を構成する前面ブロックと、前面ブロックに対して開閉自在に支持された背面ブロックとを備えている。なお、通常、前面ブロックと背面ブロックとは、枠体に対して遊技機本体を開放した後でなければ開閉できない構成となっている。また、従来の典型的な遊技機は、遊技機本体を枠体に対して施錠したり、背面ブロックを前面ブロックに対して施錠したりする施錠機構を備えており、枠体に対して遊技機本体を施錠や開錠する場合や前面ブロックに対して背面ブロックを施錠や開錠する場合には、所定の操作を実行しなければならない。
【０００３】
遊技機本体は、その前面側（前面ブロックの前面側）に、遊技者によって操作される各種の入力装置（例えば、弾球遊技機における遊技ハンドル並びに回胴式遊技機におけるベット操作装置、単位遊技開始操作装置及び回胴停止操作装置）や、遊技媒体を貯留する貯留装置や、遊技進行に応じた演出や状態報知を行う装置等を備えている。一方、遊技機本体は、その背面側（背面ブロックの背面側）に、遊技進行中に操作する必要が比較的に発生し易い装置及びスイッチ並びにそれらの装置を制御したりそれらのスイッチの入力を監視したりする装置（例えば、遊技媒体の払出機構、遊技状態リセットスイッチ、設定変更スイッチ、電源スイッチ、払出機構を制御する払出制御装置、各種のスイッチの入力を監視する電源装置）を備えている。また、遊技機本体は、その内部（前面ブロックの背面側や背面ブロックの前面側）に、遊技進行を実行する主要な装置、例えば、弾球遊技機における遊技盤、遊技媒体の発射装置及び主制御装置並びに回胴式遊技機における投入装置、回胴装置及び主制御装置を備えている。
【０００４】
遊技機本体における各種の制御装置は、故障等により検査の必要性が発生した場合や故障等により取り替える必要が発生した場合に、個別に取り外しできるように着脱自在に装着されている。また、一般的に、遊技球の獲得に関与する制御装置の回路基板や遊技球の獲得に関与するスイッチが設けられている制御装置の回路基板については、もし開封した場合にはその痕跡が残るように構成された特殊な基板ケースに収納されている。
【０００５】
従来の典型的な遊技機において、上述のように、遊技球の獲得に関与する全ての回路基板が多段階の操作を行わなければ表出させることができないように遊技機本体の内部に配置されているわけではない。遊技球の獲得に関与するものの遊技機本体の背面側に配置される回路基板として、払出制御基板や設定変更スイッチの設けられた回路基板が挙げられる（例えば、下記特許文献１参照）。また、主制御装置で規定される遊技性によっては、電源スイッチの操作によって通常の遊技状態よりも遊技球の獲得に関して有利な所定の利益遊技状態へ移行する場合及び遊技状態リセットスイッチの操作によって同様に所定の利益遊技状態へ移行する場合もあり、このような場合には、電源スイッチや遊技状態リセットスイッチが設けられた回路基板も遊技球の獲得に関与するものの遊技機本体の背面側に配置される回路基板の１つとなる。
【０００６】
本来的には、遊技球の獲得に関与する全ての回路基板の全てを遊技機本体の内部に配置できればよいのであるが、構造的な制約や保守点検及び遊技中に必要となる操作等の作業性の要請から、主制御装置以外の他の制御装置の動作は基本的に主制御装置が監視することとして、遊技機本体の背面側に配置される。これによって、主制御装置以外の制御装置の回路基板に改変が加えられたとしても遊技機自体（主制御装置）でその動作が正常であるか異常であるかを基本的には判別できるからである。なお、主制御装置の回路基板については不正行為によって改変が加えられた場合には、遊技機自体で制御動作が正常であるか不正による異常な動作が判別できなくなるために、最大限に保護されている。
【０００７】
【特許文献１】特開２００７−１８５５４７号公報
【発明の開示】
【発明が解決しようとする課題】
【０００８】
従来の典型的な遊技機において、主制御装置以外の制御装置の回路基板に改変が加えられた場合に、その回路基板からの各種の信号に基づいてその回路基板の動作の正常性を基本的には主制御装置で判別できたとしても、主制御装置によって監視される各種の信号までも包括的に改変された場合には、主制御装置によってもその回路基板の動作を正常に判別できなくなる。このような包括的な改変を行うためには、その回路基板を収納した制御装置を遊技機本体から取り外し、その後、改変を加えた回路基板を収納した制御装置を遊技機本体に装着する必要がある。
【０００９】
そこで、本発明の遊技機では、遊技媒体の獲得に関与する回路装置を一旦取り外して不正な改変を加えるような不正行為が実行されることを抑制する。
【課題を解決するための手段】
【００１０】
上記の課題を解決するために、本発明に係る遊技機は、
前面ブロックと、前記前面ブロックの後方に配置され、背面基体及び前記背面基体に着脱自在に取着された遊技媒体の獲得に関与する回路装置を含む背面ブロックと、前記前面ブロックに対して前記背面ブロックを開閉自在に支持するブロック間支持機構とを備える遊技機であって、
前記背面ブロックに対して移動自在に支持され、前記背面基体からの前記回路装置の離脱を規制する離脱規制体を更に備え、
前記離脱規制体は、
前記背面ブロックの前面側において移動自在に支持され、前記前面ブロックに対する前記背面ブロックの開放状態において、前記前面ブロックと前記背面ブロックとの間の空間内で移動する基体部と、
前記前面ブロックに対する前記背面ブロックの開放状態における前記基体部の移動に応じて、前記回路装置の離脱を禁止する離脱禁止位置と前記回路装置の離脱を許容する離脱許容位置との間を移動する離脱規制部と、
を含むことを特徴としている。
【発明の効果】
【００１１】
本発明に係る遊技機であれば、遊技媒体の獲得に関与する回路装置を取り替える際に、その回路装置が背面ブロックの背面側に設けられていても、前面ブロックに対して背面ブロックを開放すると共に、その開放後に更に離脱規制体を作動させて離脱規制部を離脱禁止位置から離脱禁止位置よりも前面ブロック側の離脱許容位置に移動させなければならないために、遊技媒体の獲得に関与する回路装置を一旦取り外して不正な改変を加えるような不正行為が実行されることを抑制することができる。
【図面の簡単な説明】
【００１２】
【図１】球式回胴遊技機の一例を閉鎖状態で表す斜視図
【図２】球式回胴遊技機の一例を表す正面図
【図３】球式回胴遊技機の一例を表す背面図
【図４】球式回胴遊技機の一例を遊技機本体の開放状態で表す斜視図
【図５】本体開閉検出装置の一例を概念的に表す斜視図
【図６】本体開閉検出装置の動作の一例を模式的に表す背面図
【図７】遊技機本体の開閉動作を説明するために球式回胴遊技機の一例を部分的に表す斜視図
【図８】遊技機本体の開閉動作を説明するために球式回胴遊技機の一例を部分的に表す右側面図
【図９】球式回胴遊技機の一例を払出ブロックの開放状態で表す斜視図
【図１０】球式回胴遊技機の一例を遊技ブロックの開放状態で表す斜視図
【図１１】遊技機本体の開放過程における払出ブロックの開放防止機構の動作の一例を表す説明図
【図１２】払出ブロックの開放過程における払出ブロック施錠機構の動作を表す説明図
【図１３】自動開放制限機構の一例を表す斜視図
【図１４】前面ブロックに対して払出ブロック及び遊技ブロックを一体的に開放する場合の払出ブロック施錠機構及び自動開放制限機構の動作を表す説明図
【図１５】前面ブロックの一例を表す正面斜視図
【図１６】前面ブロックの一例を表す背面斜視図
【図１７】前面ブロックの一例を表す正面視の部分分解斜視図
【図１８】前面ブロックの一例を表す背面視の部分分解斜視図
【図１９】上皿ユニットの一例を表す部分分解斜視図
【図２０】上貯留皿の流下規制機構の一例を流下許容状態で表す断面図
【図２１】上貯留皿の流下規制機構の一例を流下禁止状態で表す断面図
【図２２】上皿ユニットの一例を表す斜視図
【図２３】上皿ユニットの一例の取り付け過程を表す分解斜視図
【図２４】投入装置の一例を表す斜視図
【図２５】投入装置の一例を表す部分分解斜視図
【図２６】投入装置の一例を返却禁止状態で表す横断面図
【図２７】投入装置の一例を投入禁止状態で表す縦断面図
【図２８】投入装置の一例を投入許容状態で表す縦断面図
【図２９】投入装置の一例を返却許容状態で表す横断面図
【図３０】投入装置の一例を返却許容状態で表す縦断面図
【図３１】払出ブロックの一例を表す正面斜視図
【図３２】払出ブロックの一例を表す背面斜視図
【図３３】払出ブロックの一例を表す部分分解斜視図
【図３４】払出ブロックの一例を表す正面図
【図３５】払出ブロックの一例を一部の除去状態で表す背面図
【図３６】球溢れ検出スイッチの一例を表す正面図
【図３７】球切れ検出スイッチの一例を表す断面図
【図３８】第１払出装置の一例を表す部分分解斜視図
【図３９】第１払出装置の動作形態の一例を表す平面図
【図４０】遊技ブロックの一例を表す正面斜視図
【図４１】遊技ブロックの一例を表す背面斜視図
【図４２】遊技ブロックの一例を表す部分分解斜視図
【図４３】遊技ブロックの一例を表す背面図
【図４４】回胴ユニットの一例を表す部分分解斜視図
【図４５】図柄シールの一例を表す展開図
【図４６】球式回胴遊技機の一例の電気的な構成を表すブロック図
【図４７】払出ブロックにおける離脱規制体の近傍の一例を表す斜視図
【図４８】電源制御装置及び払出制御装置の着脱過程の一例を表す背面視の分解斜視図
【図４９】電源制御装置及び払出制御装置の着脱過程の一例を表す分解斜視図
【発明を実施するための形態】
【００１３】
本発明に係る遊技機の形態について説明する。なお、本発明に係る遊技機の概念的な構成について説明した後に、本発明に係る遊技機の具体的な構成について説明する。
【００１４】
［概念的な構成］
本発明に係る遊技機は、前面ブロックと、前面ブロックの後方に配置され、背面基体及び背面基体の背面側に着脱自在に取着された遊技媒体の獲得に関与する回路装置を含む背面ブロックと、前面ブロックに対して背面ブロックを開閉自在に支持するブロック間支持機構とを備えている。「前面ブロック」及び「背面ブロック」は、それぞれ、遊技機の前面側及び背面側を構成する互いに開閉自在に支持された各構成体を意味する。また、「遊技媒体の獲得に関与する回路装置」は、遊技球の獲得に関与する少なくとも１つの回路基板を含む一体化された装置を意味する。このような回路基板としては、例えば、払出制御基板、設定変更スイッチの設けられた回路基板が挙げられる。なお、遊技機の遊技性によっては、電源基板、電源スイッチの設けられた回路基板、初期化スイッチが設けられた回路基板も遊技球の獲得に関与する回路基板として挙げられる。「背面基体に着脱自在に取着された」には、背面基体に直接に着脱自在に取着されている場合や、背面基体に他の部材を介して間接的に着脱自在に取着されている場合を含意している。背面ブロックは、遊技媒体の獲得に関与する回路装置を少なくとも１つ備えていればよく、１つの回路装置のみを備えている場合に限らず複数の回路装置を備えている場合であってもよい。
【００１５】
本発明に係る遊技機は、更に、背面ブロックに対して移動自在に支持され、背面基体の背面側からの回路装置の離脱を規制する離脱規制体を更に備えている。「離脱規制体」は、少なくとも回路装置の離脱を規制できる構成であればよく、回路装置の離脱のみを規制できる構成であってもよいし、回路装置の離脱及び回路装置の装着の双方を規制できる構成であってもよい。「背面基体からの回路装置の離脱」とは、背面基体の背面側に装着されている回路装置を離脱させることを意味しており、背面基体に直接的に装着されている回路基板を背面基体から離脱させる場合や、背面基体に他の部材を介して間接的に装着されている回路基板を介在する他の部材からから離脱させる場合を含意している。
【００１６】
離脱規制体は、背面ブロックの前面側において移動自在に支持された基体部と、基体部の移動に連動して移動する離脱規制部とを含んでいる。基体部は、前面ブロックに対する背面ブロックの開放状態において、前面ブロックと背面ブロックとの間の空間内で移動する。一方、離脱規制部は、前面ブロックに対する背面ブロックの開放状態において、回路装置の離脱を禁止する離脱禁止位置と回路装置の離脱を許容する離脱許容位置との間を移動する。基体部及び離脱規制部の移動としては、例えば、並進移動、回転移動、及び、それらの組合せによる移動が挙げられる。また、離脱規制部が離脱禁止位置に配置されて回路装置の離脱を禁止する具体的な形態としては、例えば、回路装置の周縁の少なくとも一部を覆う形態や、回路装置に形成された陥没穴や貫通穴に離脱規制部の少なくとも一部が挿入される形態が挙げられる。なお、以下においては、上記の構成の遊技機を「遊技機Ａ」とも称す。
【００１７】
本発明に係る遊技機Ａであれば、遊技媒体の獲得に関与する回路装置を取り替える際に、その回路装置が背面ブロック基体の背面側に設けられていても、前面ブロックに対して背面ブロックを開放すると共に、その開放後に更に離脱規制体を作動させて離脱規制部を離脱禁止位置から離脱許容位置に移動させなければならないために、その回路装置の取り替え操作が複雑となることによって、遊技媒体の獲得に関与する回路装置を一旦取り外して不正な改変を加えるような不正行為が実行されることを抑制できる。また、遊技媒体の獲得に関与する回路装置を他の不正な回路装置に取り替えたりしてその回路装置を改変するような不正行為を行うには、払出機構等における球詰まりを解消するような通常遊技中においても発生する遊技機の背面側を表出して行う作業（以下、「背面表出後通常作業」とも称す）においては開放されることが極めて稀な前面ブロックに対する背面ブロックの開放を行うことととなり、また、背面表出後通常作業において開放されることのない離脱規制体の開放が行われることとなり、更に、背面ブロックを前面ブロックに対して所定の開放角度以上で開放して離脱規制部を離脱許容位置に維持しなければならず、背面表出後通常作業に必要な前面ブロックの開放角度に比べて大幅に大きな開放角度で開放を行うことともなり、遊技機の背面側を表出して行う作業における不正行為の識別力が向上する。これによっても上記のような不正行為の実行が抑制される。したがって、不正行為の実行後における遊技機の通常と異なる作動によって、不正に遊技媒体が獲得されることが抑制される。
【００１８】
上記の遊技機Ａにおいて、
枠体と、前記枠体に対して前記前面ブロック、背面ブロック及びブロック間支持機構を含む本体を開閉自在に支持する本体開閉支持機構とを更に備え、
前記背面ブロックは、前記枠体に対する前記本体の開放状態及び閉鎖状態のうち開放状態のみにおいて、前記前面ブロックに対して開閉自在である構成であることが好ましい。なお、以下においては、この構成の遊技機を「遊技機Ｂ」とも称す。
【００１９】
ここで、「枠体」は、遊技ホール等に設けられた遊技機設置設備に遊技機を固定するための構成体を意味し、「本体」は、枠体に対して開閉自在に支持される構成体を意味する。また、「背面ブロックが前面ブロックに対して開閉自在」とは、何らの操作も必要なく開閉自在な状態である場合に限らず、通常の遊技機のように前面ブロックに対する背面ブロックの施錠を解除することによって開閉自在な状態になる場合をも意味する。遊技機Ｂの具体的な構成としては、例えば、枠体に対する背面ブロックの閉鎖状態において、背面ブロックが後方側に開放させようとしても背面ブロックが枠体に当接することによって前記前面ブロックに対する開閉が阻止される構成や、枠体に対する背面ブロックの閉鎖状態において前面ブロックに対して背面ブロックがロックされ、枠体に対する背面ブロックの開放状態において前面ブロックに対する背面ブロックのロックが解除される開放防止機構とを備える構成が挙げられる。
【００２０】
上記の遊技機Ｂであれば、枠体に対する背面ブロックの閉鎖状態における遊技機の背面側からの操作によって、背面ブロックが前面ブロックに対して開放され、更に離脱規制部が離脱許容位置に移動されて、回路装置が着脱自在な状態になることが防止される。これによっても、遊技媒体の獲得に関与する回路装置に不正な改変が加えられることが抑制される。
【００２１】
なお、本発明においては、上記の遊技機Ｂとは異なり、背面ブロックは、少なくとも枠体に対する本体の開放状態において前面ブロックに対して開閉自在であればよく、本体の開放状態のみにおいて開閉自在である場合や、本体の閉鎖状態及び開放状態の双方において開閉自在である場合であってもよい。
【００２２】
上記の遊技機Ａ〜Ｂにおいて、
前記離脱規制部が、前記基体部から後方側に突設され、
前記離脱規制部が、前記離脱禁止位置において前記背面ブロックの背面側に突出し、前記離脱許容位置において前記離脱禁止位置より前記前面ブロック側に位置する構成であることが好ましい。なお、以下においては、この構成の遊技機を「遊技機Ｃ」とも称す。
【００２３】
ここで、離脱規制部が離脱許容位置において離脱禁止位置より前面ブロック側に位置するとは、離脱許容位置に配置されている場合の離脱規制部材の前面ブロック側の端部が、その離脱禁止位置に配置されている場合の離脱規制部材の前面ブロック側の端部よりも前面ブロック側に位置していることを意味している。
【００２４】
上記の遊技機Ｃであれば、極めて簡素な構成によって、背面ブロックの背面側に設けられた回路装置の着脱を規制できる。
【００２５】
上記の遊技機Ａ〜Ｃにおいて、
前記離脱規制部の前記離脱許容位置への移動が、前記前面ブロックに対する前記背面ブロックの閉鎖状態において、前記離脱規制体と前記前面ブロックとの当接により禁止される構成であることが好ましい。なお、以下においては、この構成の遊技機を「遊技機Ｄ」とも称す。
【００２６】
上記の遊技機Ｄであれば、枠体に対する背面ブロックの閉鎖状態における遊技機の背面側からの操作によって、離脱規制部が離脱許容位置に移動されて、回路装置が着脱自在な状態になることが防止される。これによって、遊技機Ｂの場合と同様に、遊技媒体の獲得に関与する回路装置に不正な改変が加えられることが抑制される。
【００２７】
上記の遊技機Ａ〜Ｄにおいて、
前記背面ブロックに対する前記離脱規制体の移動が、回動である構成であることが好ましい。なお、以下においては、この構成の遊技機を「遊技機Ｅ」とも称す。遊技機Ｅの具体的な構成としては、離脱規制体が背面ブロックに対してブロック間支持機構の開閉軸と実質的に平行な軸を中心として回動する構成や、離脱規制体が背面ブロックに対してブロック間支持機構の開閉軸と実質的に垂直な軸を中心として回動する構成があげられる。
【００２８】
上記の遊技機Ｅであれば、背面ブロックに対して離脱規制体を並進移動自在に支持する場合に比べて、支持構造が簡素化され、また、離脱規制体の移動距離を大きく確保することができる。これは、離脱規制体を並進移動自在に支持するためには、前面ブロック側に延出するガイドレール等の誘導構造を形成しなければならないために支持構造が複雑となり、また、このような誘導構造の長さが背面ブロックの閉鎖状態における前面ブロックと背面ブロックとの間隙の幅によって制限されるために離脱規制体の移動距離もその長さによって制限されて短くなるからである。離脱規制体の移動距離を大きく確保できることによって、背面基体の背面側のより後方側に配置される回路装置に対してもその離脱を規制することができ、また、離脱規制体を操作するために必要な前面ブロックと背面ブロックとの最小開放角度を大きく確保することができる。更に、背面ブロックに対して離脱規制体を並進移動自在に支持する場合と異なり、回路装置の側面を迂回してその背面側まで覆うように離脱規制体を配置させることもできる。
【００２９】
上記の遊技機Ｅにおいて、
前記離脱規制体が、前記背面ブロックに対して前記ブロック間支持機構の開閉軸と実質的に平行な軸を中心として回動し、
前記離脱規制部は、前記基体部において前記離脱規制体の回動中心より前記ブロック間支持機構と反対側に位置する構成であることが好ましい。なお、以下においては、この構成の遊技機を「遊技機Ｆ」とも称す。
【００３０】
上記の遊技機Ｆであれば、前面ブロックと背面ブロックとが旋回によって離間する側から離脱規制体を操作でき、また、離脱規制体を操作する際の背面ブロックの最小開放角度を適度に抑制できるために、不正行為に対する対策を疎かにすることなく、離脱規制体の操作性を向上させることができる。なお、背面ブロックの最小開放角度が大きすぎると、背面ブロックと枠体との間の開放角度が小さくなりすぎて、回路装置を取り外したりするための作業の作業性が低下する場合もあるからである。
【００３１】
上記の遊技機Ｆにおいて、
前記基体部は、前記背面基体の左右方向の中央近傍において支持され、
前記離脱規制部は、前記離脱禁止位置において、前記背面基体の左右方向の前記開閉軸と反対側の端部近傍から前記背面ブロックの背面側へ突出する構成であることが好ましい。なお、以下においては、この構成の遊技機を「遊技機Ｇ」とも称す。
【００３２】
上記の遊技機Ｇであれば、離脱規制体を操作する際の背面ブロックの最小開放角度を大きく確保できると共に適度に抑制できるために、最小開放角度を簡便に最適化できる。なお、離脱規制体の回動軸とブロック間支持機構の開閉軸との距離が大きすぎる場合には離脱規制体が大型化し、一方、その距離が小さすぎる場合には離脱規制部を離脱禁止状態から離脱許容状態へ移行するための操作角度が大きくなり操作性が低下することともなるからである。また、上記の遊技機Ｇであれば、不正目的で離脱規制部が破損されていないかを目視によって確認し易くなるために、回路装置に不正な改変が加えられていないかの識別精度が向上する。
【００３３】
上記の遊技機Ｇにおいて、前記背面ブロックに対する前記離脱規制体の回動角度範囲が、９０度以下である構成であることが好ましい。なお、以下においては、この構成の遊技機を「遊技機Ｈ」とも称す。
【００３４】
上記の遊技機Ｈであれば、離脱規制体が閉鎖状態に戻されていない状態で背面ブロックが閉鎖されるような誤操作が行われたとしても、離脱規制体や離脱規制体と背面ブロックとの連結が破損されることを抑制できる。また、回路基板に対する操作をする際における背面ブロックの回転を固定するための把持部材として離脱規制体を良好に機能させることもでき、不正行為に対する対策を疎かにすることなく、回路基板の着脱の操作性を向上させることができる。
【００３５】
上記の遊技機Ａ〜Ｈにおいて、
前記背面基体に装着されている前記回路装置を離脱させるための移動方向を離脱方向とし、前記背面基体に装着されている前記回路装置を離脱させるための前記離脱方向への最小移動距離を離脱距離として、
前記離脱規制部は、前記離脱禁止位置において、前記回路装置における前記離脱方向側の端部から前記離脱距離未満だけ前記離脱方向の前方に配置されている構成であることが好ましい。なお、以下においては、この構成の遊技機を「遊技機Ｉ」とも称す。
【００３６】
上記の遊技機Ｉであれば、回路装置の形状等を変更することなく簡便に、回路基板の離脱を抑制できる。また、離脱規制部が回路装置の外部に配置されるために、離脱規制体の閉鎖状態においても不正目的で離脱規制部が破損されていないかを目視によって極めて確認し易くなるために、回路装置に不正な改変が加えられていないかの識別精度が向上する。
【００３７】
上記の遊技機Ａ〜Ｉにおいて、
前記背面基体は、貫通孔を有し、
前記離脱規制部は、前記離脱禁止位置において前記貫通孔に挿通されている構成であることが好ましい。なお、以下においては、この構成の遊技機を「遊技機Ｊ」とも称す。
【００３８】
上記の遊技機Ｊであれば、背面基体の背面側における回路装置の配置位置に依存せずに、回路装置の離脱を規制することができる。
【００３９】
上記の遊技機Ａ〜Ｊにおいて、
前記基体部が、板状片と、前記板状片からの少なくとも一方に延設され、前記板状片を補強する補強片を更に含む構成であることが好ましい。なお、以下においては、この構成の遊技機を「遊技機Ｋ」とも称す。
【００４０】
上記の遊技機Ｋであれば、基体部として稠密な部材を用いた場合に比べて、基体部の強度を大幅に低下させることなく軽量化を図ることができる。
【００４１】
上記の遊技機Ｋにおいて、
前記補強片が、前記板状片と前記前面ブロック及び前記背面基体の少なくとも一方との間の空間を複数の部分空間に分割する構成であることが好ましい。なお、以下においては、この構成の遊技機を「遊技機Ｌ」とも称す。
【００４２】
上記の遊技機Ｌであれば、板状片と前面ブロック及び背面基体の少なくとも一方との間に回路装置による制御動作を変更したりするような遊技機の動作を改変する不正装置が装着されることが抑制される。
【００４３】
上記の遊技機Ｌにおいて、
前記板状片が、前記前面ブロックにおける前記前面ブロックに対する前記背面ブロックの閉鎖状態において前記板状片と対向する部分の凹凸形状と実質的に同一の凹凸形状であり、
前記補強片が、前記板状片から前記背面基体側に垂設されて、前記板状片と前記背面基体との間の空間を複数の部分空間に分割し、前記背面基体における前記背面ブロックに対する前記離脱規制体の閉鎖状態において前記補強片と対向する部分の凹凸形状と実質的に同一の凹凸形状であり、
前記離脱規制部の移動が、前記前面ブロックに対する前記背面ブロックの閉鎖状態において、前記板状片における前記前面ブロック側の表面の実質的に全面と前記前面ブロックとの当接及び前記補強片の前記背面基体側の表面の実質的に全面と前記背面基体との当接により禁止される構成であることが好ましい。なお、以下においては、この構成の遊技機を「遊技機Ｍ」とも称す。
【００４４】
上記の遊技機Ｍであれば、前面ブロックの凹凸形状に関わらず板状片と前面ブロックとの空隙が実質的になくなり、背面基体の凹凸形状に関わらず板状片と背面ブロックとの間の空間が小空間に分割されるために、回路装置による制御動作を変更したりするような遊技機の動作を改変する不正装置が装着されることが極めて良好に抑制される。
【００４５】
上記の遊技機Ａ〜Ｍにおいて、
前記背面ブロックに対する前記離脱規制体の移動を規制する移動規制機構を更に備え、
前記移動規制機構に対する所定の操作に基づいて、前記離脱規制部の前記離脱禁止位置から前記離脱許容位置への移動が許容される構成であることが好ましい。ここで、移動規制機構に対する所定の操作は、背面ブロックの前面側から行われる操作であっても裏面側から行われる操作であってもよい。なお、以下においては、この構成の遊技機を「遊技機Ｎ」とも称す。
【００４６】
上記の遊技機Ｎであれば、離脱規制体に対する開放操作を行う前に、更に移動規制機構に対する操作が必要となり、不正行為に必要な作業時間が増加すること基づいて、また、本来通常遊技中において開放されることのない離脱規制体が開放されることの監視に基づいて、遊技機の本体を開放した状態での作業における不正行為の識別力が向上する。
【００４７】
上記の遊技機Ｎにおいて、
前記前面ブロックに対する前記背面ブロックの閉鎖に伴う前記前面ブロックと前記基体部との当接に基づく前記離脱規制体の移動に応じて、前記離脱規制部が前記離脱禁止位置へ自動的に移動する構成であることが好ましい。なお、以下においては、この構成の遊技機を「遊技機Ｏ」とも称す。
【００４８】
上記の遊技機Ｏであれば、背面ブロックの閉鎖状態において離脱規制部が移動規制機構によって離脱禁止位置に維持されるために、不測に回路装置に対して不正な改変を加えやすい状況となることが抑制される。
【００４９】
上記の遊技機Ｏにおいて、
前記移動規制機構は、前記背面基体に設けられた係合部と、前記離脱規制体に設けられ、前記背面基体の前記係合部と係合する係合部とを含み、
前記背面基体の前記係合部と前記離脱規制体の前記係合部との係合により前記離脱規制部の前記離脱禁止位置から前記離脱許容位置への移動が禁止され、前記第１係合部と前記第２係合部との係合の解除により前記離脱規制部の前記離脱禁止位置から前記離脱許容位置への移動が許容される構成であることが好ましい。なお、以下においては、この構成の遊技機を「遊技機Ｐ」とも称す。
【００５０】
上記の遊技機Ｐであれば、極めて簡素な構造によって、背面ブロックの閉鎖状態において離脱規制部が移動規制機構によって離脱禁止位置に維持することができる。
【００５１】
上記の遊技機Ｐにおいて、
前記背面基体の前記係合部と前記離脱規制体の前記係合部とが、前記前面ブロックに対する前記背面ブロックの閉鎖に伴う前記前面ブロックと前記基体部との当接に基づく前記離脱規制体の移動に応じて、自動的に係合する構成であることが好ましい。
なお、以下においては、この構成の遊技機を「遊技機Ｑ」とも称す。
【００５２】
上記の遊技機Ｑであれば、前面ブロックに対する背面ブロックの閉鎖状態において離脱規制部が背面基体及び離脱規制体の双方の係合部の係合によって離脱禁止位置に維持されるために、不測に回路装置に対して不正な改変を加えやすい状況となることが抑制される。
【００５３】
上記の遊技機Ａ〜Ｑにおいて、
前記離脱規制体が、前記基体部から前記背面ブロック側に突出して前記離脱規制部の周縁の一部を覆う破断抑制部を更に含む構成であることが好ましい。なお、以下においては、この構成の遊技機を「遊技機Ｒ」とも称す。
【００５４】
上記の遊技機Ｒであれば、不正目的で離脱規制部が故意に破損されることが抑制される。
【００５５】
［具体的な構成］
本発明に係る遊技機の最良の形態の具体的な実施形態について図面を参照しながら説明する。なお、以下において、遊技機が球体を遊技媒体とする回胴式遊技機（以下、「球式回胴遊技機」と称す）である場合の具体的な一例を挙げて説明するが、以下で説明する具体的な一例には限定されず、本発明の主旨から逸脱しない限りにおいて、その設計を適宜に変更してもよい。また、本発明は、メダルを遊技媒体として使用する回胴式遊技機（スロット機）や弾球遊技機（パチンコ機、アレンジボール機、雀球遊技機等）にも適用することができる。
【００５６】
本実施形態の球式回胴遊技機について説明する。本実施形態の球式回胴遊技機は、上記の遊技機Ａ〜遊技機Ｒの全ての特徴を複合的に満たす構成である。なお、球式回胴遊技機の全体構造、電気的構成及び制御構成について概説した後に、本発明の特徴部分の構成及びそれに関連する構成については、後述する〔本発明の主たる特徴部分の構成〕においてまとめて詳細に説明する。
【００５７】
〔全体的な構成〕
本実施形態の球式回胴遊技機の全体構造について説明する。図１は球式回胴遊技機の一例を閉鎖状態で表す斜視図であり、図２は球式回胴遊技機の一例を表す正面図であり、図３は球式回胴遊技機の一例を表す背面図であり、図４は球式回胴遊技機の一例を開放状態で表す斜視図である。なお、図３及び図４において各種の内部配線は省略されており、以下で参照する他の図面についても同様とする。
【００５８】
本形態の球式回胴遊技機１００は、図１〜図４に示されたように、球式回胴遊技機１００の外殻を形成する外枠１１０と、遊技機本体１２０と、外枠１１０に対して遊技機本体１２０を着脱自在及び開閉自在に支持する一対の本体支持機構１３０（図１には一方のみ図示）と、遊技機本体１２０を外枠１１０に対して施錠する本体施錠機構１４０（図４のみ）と、本体施錠機構１４０を開錠させたり施錠させたりするために管理者によって操作される錠開閉操作機構１５０（図１及び図２のみ）と、外枠１１０に対して遊技機本体１２０が閉鎖されている状態（以下「遊技機本体１２０の閉鎖状態」と略記）であるか又は外枠１１０に対して遊技機本体１２０が開放されている状態（以下「遊技機本体１２０の開放状態」と略記）であるかを検出する本体開閉検出装置１６０（図３のみ：図５及び図６も参照）とを備えている。図１に示されたような遊技機本体１２０の閉鎖状態において、本体施錠機構１４０によって遊技機本体１２０は外枠１１０に対して施錠された状態（以下「遊技機本体１２０の施錠状態」と略記）であり、遊技機本体１２０の閉鎖状態から図４に示されたような遊技機本体１２０の開放状態へ移行させる場合には、錠開閉操作機構１５０への所定の開錠操作に基づいて本体施錠機構１４０による遊技機本体１２０の施錠状態を解除し、遊技機本体１２０を開放方向（遊技機本体１２０の右端を外枠１１０から離隔させる方向）に回転させる。逆に、遊技機本体１２０の開放状態から遊技機本体１２０の閉鎖状態へ移行させる場合には、遊技機本体１２０を閉鎖方向（遊技機本体１２０の右端を外枠１１０に近接させる方向）に回転させると共に、少なくとも遊技機本体１２０の閉鎖状態への移行完了の直前に錠開閉操作機構１５０に対して本体施錠機構１４０の施錠を解除させるための操作（以下「開錠操作」と略記）を行い、その開錠操作中に遊技機本体１２０の閉鎖状態への移行を完了させる。球式回胴遊技機１００は、通常、その外枠１１０が遊技ホールの遊技機固定設備（図示せず）の設置窓（図示せず）に装着されることによって外枠１１０及びそれよりも球式回胴遊技機１００の後方側が遊技者の滞在する外側空間から視認できないように遊技機固定設備に固定されるが、外枠１１０に対して遊技機本体１２０が開閉自在に支持されていることによって、遊技機固定設備への設置後においても球式回胴遊技機１００の背面側を外側空間に露出させることができる。
【００５９】
外枠１１０は、図３及び図４に示されたように、天板部材１１１と、底板部材１１２と、右側板部材１１３と、左側板部材１１４（図３のみ）と、遊技機本体１２０の閉鎖状態において遊技機本体１２０が載置される載置部材１１５とを備えている。天板部材１１１、底板部材１１２、右側板部材１１３及び左側板部材１１４は、接続部材１１６〜１１９（図３のみ）を介して組み付けられており、その全体形状が略矩形状の枠形状である。
【００６０】
一対の本体支持機構１３０の各々は、図３及び図４に示されたように、外枠１１０に固着された外枠側支持体１３１と、遊技機本体１２０に固着された本体側支持体１３２（図１６も参照）と、外枠側支持体１３１と本体側支持体１３２とを連結する連結体１３３とを備えている。外枠側支持体１３１には軸受溝部１３１Ａ（図４のみ）が形成され、一方、本体側支持体１３２には軸体部１３２Ａ（図４のみ）が形成されており、軸体部１３２Ａが軸受溝部１３１Ａに挿入され、外枠側支持体１３１と本体側支持体１３２とが連結体１３３で連結されることによって、遊技機本体１２０が外枠１１０に対して着脱自在かつ開閉自在に支持されている。また、連結体１３３は、軸体部１３２Ａと軸受溝部１３１Ａとの間にかかる荷重負荷、特に、遊技機本体１２０の開放状態における荷重負荷を低減することによって軸体部１３２Ａの軸ズレを抑制したり、外枠１１０に対する遊技機本体１２０の最大回転角度（９０度を越えて大きいが９０度の近傍の値、例えば９５度）を制限したりする。なお、連結体１３３と外枠１１０との連結は簡便な操作によって解除できる構成となっている。
【００６１】
本体施錠機構１４０は、図３及び図４に示されたように、外枠１１０の右側板部材１１３に固着された一対の外枠側施錠部材１４１と、遊技機本体１２０に取設された施錠機構１４２とを備えている。施錠機構１４２は、遊技機本体１２０に固着された基体部材１４３と、基体部材１４３に枢設された一対の本体側施錠部材１４４と、一対の本体側施錠部材１４４に接続され、上下方向に移動自在な動力伝達棹１４５と、動力伝達棹１４５を所定の基準位置（以下において、「施錠位置」とも称す）に復帰させる方向に付勢する付勢体（図示せず）と備えている。なお、付勢体は、図４に示されたように、基体部材１４３を介して遊技機本体１２０に固着された保護カバー１５９によって覆われている。一対の外枠側施錠部材１４１の各々には係合爪部１４１Ａが形成され、一方、一対の本体側施錠部材１４４の各々には係合爪部１４１Ａと係合する係合溝部１４４Ａ（図４のみ）が形成されている。
【００６２】
錠開閉操作機構１５０は、図１及び図２に示されたように、所定の開閉鍵（図示せず）の凹凸形状に対応する鍵溝（図示せず）が形成されたキーシリンダ１５１と、キーシリンダ１５１の内側に摺動自在に挿着され、挿入された開閉鍵の回動に連動して回動する可動軸体１５２と、開閉鍵が挿入される鍵穴と反対側（背面側）において可動軸体１５２に固着され、可動軸体１５２の回動に連動して偏心回動する可動片（図示せず）とを備えている。なお、開錠開閉操作機構１５０の背面側は、図４に示されたように、基体部材１４３を介して遊技機本体１２０に固着された保護カバー１５９によって覆われており、可動片はその内側に配置されている。
【００６３】
遊技機本体１２０の閉鎖状態において、図３及び図４に示されたように、付勢体からの付勢力に基づいて、動力伝達棹１４５は所定の基準位置に維持され、また、一対の外枠側施錠部材１４１の係合爪部１４１Ａも所定の基準位置に維持されている。なお、遊技機本体１２０の閉鎖状態においては、図３に示されたように、一対の外枠側施錠部材１４１の係合爪部１４１Ａは一対の本体側施錠部材１４４の係合溝部１４４Ａと係合した状態である。これによって、外枠１１０に対して遊技機本体１２０が施錠された状態（以下、「遊技機本体１２０の施錠状態」と略記する）が維持される。遊技機本体１２０の閉鎖状態において錠開閉操作機構１５０のキーシリンダ１５１及び可動軸体１５２に形成された鍵穴に所定の開閉鍵（図示せず）が挿入され、その鍵によって所定の開錠操作、本形態では９０度の時計回りの回転操作が行われると、可動軸体１５２が回転すると共に可動片（図示せず）が偏心回転する。その可動片の偏心回転に応じて、本体施錠機構１４０の動力伝達棹１４５が上方側に移動する。動力伝達棹１４５の上方側への移動に応じて、一対の本体側施錠部材１４４が回転し、その先端が下側へ移動する。これによって、係合爪部１４１Ａが係合溝部１４４Ａから離脱し、遊技機本体１２０が外枠１１０に対して回転可能な状態（以下、「遊技機本体１２０の開錠状態」と略記）になる。また、動力伝達棹１４５の上方側への移動に応じて付勢体（図示せず）が延伸される。これによって、遊技機本体１２０の閉鎖状態において本体施錠機構１４０による施錠が開錠された状態で鍵から手を離すと付勢体からの付勢力に基づいて動力伝達棹１４５及び一対の本体側施錠部材１４４は施錠位置に復帰し、遊技機本体１２０が施錠状態に戻る。一方、遊技機本体１２０の開放状態から閉鎖状態へ移行させる場合には、遊技機本体１２０の開放状態において開錠操作がなされていない状態で遊技機本体１２０を閉鎖方向に回転させると一対の外枠側施錠部材１４１と一対の本体側施錠部材１４４とが当接してその閉鎖方向の回転が阻止されるために、遊技機本体１２０の閉鎖状態まで移行させるためには、一旦、開錠操作を行わなければならない。
【００６４】
本体開閉検出装置１６０は、図３に示されたように、遊技機本体１２０の左側板部材１１４側に一部が突出するように配置されている。ここで、本体開閉検出装置１６０について詳細に説明する。図５は、本体開閉検出装置の一例の近傍を表す部分分解斜視図であり、図６（Ａ）及び図６（Ｂ）は、それぞれ、遊技機本体の閉鎖状態及び開放状態における本体開閉検出装置の一例を模式的に表す背面図である。本体開閉検出装置１６０は、図５並びに図６（Ａ）及び図６（Ｂ）に示されたように、遊技機本体１２０に軸止された軸部材１６１と、軸部材１６１に軸支された略Ｕ字形状の可動部材１６２と、可動部材１６２に取着されＵ字の開き角を大きくする付勢体１６３と、遊技機本体１２０に取着された開閉検出スイッチ１６４とを備えている。可動部材１６２は、遊技機本体１２０の閉鎖状態において、図６（Ａ）に示されたような外枠１１０の左側板部材１１４に当接している閉鎖位置と、図６（Ｂ）に示されたような遊技機本体１２０の開放状態において外枠１１０に当接していない開放位置との間で移動する。なお、可動部材１６２の開き角は、可動部材１６２が閉鎖位置に位置する場合より開放位置に位置する場合の方が大きい。開閉検出スイッチ１６４は、図６（Ａ）に示されたように、可動部材１６２が閉鎖位置にある場合に、可動部材１６２によって開閉検出スイッチ１６４の検出突起１６４Ａが押圧されているオン状態であり、一方、図６（Ｂ）に示されたように、可動部材１６２が開放位置にある場合に、可動部材１６２によって開閉検出スイッチ１６４の検出突起１６４Ａが押圧されていないオフ状態であり、検出状態に応じて電位の異なる開閉検出信号を主制御装置７５０（図４１及び図４６参照）の主制御基板７５１（図４６参照）に出力する。
【００６５】
球式回胴遊技機１００は、図３及び図４に示されたように、遊技機本体１２０の底部に設けられ、外枠１１０に対する遊技機本体１２０の開閉動作を円滑化する開閉円滑化機構１７０（図３のみ）と、遊技機本体１２０の底部に取着され、外枠１１０に対する遊技機本体１２０の開錠に応じて、管理者による意図的な遊技機本体１２０の開放方向の回転に因らずに、遊技機本体１２０が閉鎖状態から開放状態へ移行することを抑制する滑止部材１８０とを備えている。開閉円滑化機構１７０は、遊技機本体１２０の重心を通る上下方向（鉛直方向）と前後方向との双方に垂直な平面（以下、「荷重中心平面」とも称す）に対して外枠１１０に対する遊技機本体１２０の回転軸側に配設された内側ローラ１７１と、荷重中心平面に対して遊技機本体１２０の回転軸と反対側に配設された外側ローラ１７２とを備えており、遊技機本体１２０の閉鎖状態からの開放方向の回転に伴う摩擦力を低減すると共に、遊技機本体１２０の開放状態からの閉鎖方向の回転における外枠１１０の載置部材１１５への乗り上げを容易にしている。なお、内側ローラ１７１と外側ローラ１７２とは荷重中心平面を挟んで両側に配置されている。滑止部材１８０は、遊技機本体１２０の底部において回転軸と反対側の一端に配設され、略Ｕ字形状に曲折された板状体であり、その一部が遊技機本体１２０の底面から下方側へ突出している。
【００６６】
ここで、開閉円滑化機構１７０及び滑止部材１８０について詳細に説明する。図７は、開閉円滑化機構及び滑止部材の一例の近傍を表す斜視図であり、図８は、開閉円滑化機構及び滑止部材の一例の近傍を表す右側面図である。外枠１１０の載置部材１１５は、図７及び図８に示されたように、平坦部１１５Ａと平坦部１１５Ａの前方側において傾斜する傾斜部１１５Ｂとを含んでおり、平坦部１１５Ａにおいて前方側に延出している部分の平坦面Ｐ１上に、一対の外枠側支持体１３１が配設されている。平坦部１１５Ａにおいて前方側に延出している部分の平坦面Ｐ２は、従来において遊技機本体１２０が載置される載置面を構成するために設けられていたが、本形態では遊技機本体１２０は閉鎖状態においても平坦面Ｐ２に当接しない。遊技機本体１２０の閉鎖状態において、内側ローラ１７１は傾斜部１１５Ｂの傾斜面Ｐ３上に配置され、外側ローラ１７２は傾斜部１１５Ｂの傾斜面Ｐ４上に配置され、滑止部材１８０は傾斜面Ｐ４に最後方側で当接するように配置される。滑止部材１８０の下方端面１８０Ａは傾斜面Ｐ４と実質的に同一の傾斜角で傾斜しており、遊技機本体１２０の閉鎖状態において下方端面１８０Ａの全面が傾斜面Ｐ４に当接している。内側ローラ１７１が傾斜面Ｐ３上に配置されていない場合の遊技機本体１２０の開放状態において、遊技機本体１２０は自重によって遊技機本体１２０の回転軸が微少角度だけ傾斜して、その右端が下方側にずれて配置されている。なお、このような傾斜は遊技機一般について発生する。
【００６７】
遊技機本体１２０を開放状態から閉鎖状態に移行させる場合に、閉鎖方向の回転によって、まず、遊技機本体１２０の底面が傾斜面Ｐ３、平坦面Ｐ２及び傾斜面Ｐ４に当接することなく内側ローラ１７１が傾斜面Ｐ３に乗り上げる。これによって、遊技機本体１２０の回転軸の傾斜角度が緩和され、遊技機本体１２０の底面が平坦面Ｐ２に当接することなく閉鎖方向の回転を継続できる。その後、外側ローラ１７２が傾斜面Ｐ４に乗り上げる。これによって、遊技機本体１２０の回転軸の傾斜角度が大幅に緩和され、その後の閉鎖方向の回転によって滑止部材１８０の背面側の平面１８０Ｂが傾斜部１１５Ｂの前方側の平面Ｐ５に衝突することを防止できる。その後、滑止部材１８０の下方端面１８０Ａが傾斜面Ｐ４に当接して、滑止部材１８０を介した遊技機本体１２０の載置部材１１５への乗り上げが開始される。その後、滑止部材１８０が傾斜面Ｐ４を上り終えると遊技機本体１２０の閉鎖状態となる。これによって、遊技機本体１２０が開放状態から閉鎖状態に簡便かつ円滑に移行する。逆に、遊技機本体１２０を閉鎖状態から開放状態に移行させる場合に、閉鎖状態において滑止部材１８０の下方端面１８０Ａの全面が傾斜面Ｐ４に当接しているために摩擦力が大きく、外枠１１０に対する遊技機本体１２０の施錠を解除した直後に、球式回胴遊技機１００の遊技機固定設備への設置角度ズレや経年劣化等による一対の本体支持機構１３０による支持角度ズレに基づいて意図せずに開放方向への回転が開始されることが抑制される。また、開放状態から閉鎖状態に移行する過程で多段階（本形態では３段階）に分けて遊技機本体１２０の回転軸の傾斜角度が変化するために、傾斜角度の変化に伴い一対の本体支持機構１３０に与えられる最大負荷を、一段階で傾斜角度が変化する場合に比べて低減できる。これによって、経年劣化等による一対の本体支持機構１３０による支持角度ズレの発生自体も抑制することができる。
【００６８】
ここで、遊技機本体１２０の構成について説明する。図９及び図１０は、球式回胴遊技機の一例を内部開放状態で表す斜視図である。なお、図９には、前面ブロック１２１に対して払出ブロック１２２及び遊技ブロック１２３が一体的に開放されている状態が示されており、図１０には、前面ブロック１２１に対して払出ブロック１２２が開放され、かつ払出ブロック１２２に対して遊技ブロック１２３が開放されている状態が示されている。
【００６９】
遊技機本体１２０は、図９及び図１０に示されたように、球式回胴遊技機１００の前面側を構成する前面ブロック１２１と、球式回胴遊技機１００の背面側を構成する払出ブロック１２２と、前面ブロック１２１及び払出ブロック１２２によって被包される遊技ブロック１２３と、前面ブロック１２１に対して払出ブロック１２２及び遊技ブロック１２３を着脱自在かつ開閉自在に支持する一対のブロック支持機構１２４（一方のみ図示）と、前面ブロック１２１に対して払出ブロック１２２を施錠する払出ブロック施錠機構１２５と、払出ブロック１２２に対して遊技ブロック１２３を固定する一対の遊技ブロック固定機構１２６とを備えている。
【００７０】
一対のブロック支持機構１２４の各々は、前面ブロック１２１に取着された前面ブロック側支持部材２１１（図１６参照）と、払出ブロック１２２に取着された払出ブロック側支持部材２１２（図３２参照）と、遊技ブロック１２３に取着された遊技ブロック側支持部材２１３（図４３参照）とで構成されている。図１６に示されるように、前面ブロック側支持部材２１１は、前面ブロック１２１に取着された固定部２２１と、固定部２２１に対して略垂直に屈曲して背面側に延設され、上側軸挿通孔２２２Ａの形成された払出ブロック用軸受部２２２と、固定部２２１に対して略垂直に屈曲して背面側に延設され、上側軸挿通孔２２２Ａの真下に下側軸挿通孔２２３Ａの形成された遊技ブロック用軸受部２２３とを含んでいる。払出ブロック側支持部材２１２は、図３２に示されるように、払出ブロック１２２に固着された固定部２２４と、固定部２２４に対して略垂直に屈曲して正面側に延設された接続部２２５と、接続部２２５から下側に延設された軸体部２２６とを含み、軸体部２２６が前面ブロック側支持部材２１１の上側軸挿通孔２２２Ａに遊挿されている。同様に、遊技ブロック側支持部材２１３は、図４３に示されるように、遊技ブロック１２３に固着された固定部２２７と、固定部２２７に対して略垂直に屈曲して正面側に延設された接続部２２８と、接続部２２８から下側に延設された軸体部２２９とを含み、軸体部２２９が前面ブロック側支持部材２１１の下側軸挿通孔２２３Ａに遊挿されている。
【００７１】
払出ブロック施錠機構１２５は、払出ブロック１２２に形成された一対の陥没部１２２Ａの各々に架設され、一対の陥没部１２２Ａの陥没口の一部を覆う一対の払出ブロック側施錠部材２３１（図３１も参照）と、前面ブロック１２１側に配設された施錠機構２３２（図１６も参照）とを備えている。施錠機構２３２は、図１６に示されるように、本体施錠機構１４０における基体部材１４３に対して上下方向に移動自在に取着され、本体施錠機構１４０を作動させる方向と逆方向への錠開閉操作機構１５０の可動片（図示せず）の回転に連動して上下方向に移動する前面ブロック側施錠部材２３３と、前面ブロック側施錠部材２３３を所定の基準位置へ復帰させる方向に付勢する付勢体（図示せず）とを備えている。前面ブロック側施錠部材２３３は、基体部材１４３と略平行に延びる棹部２３５と棹部２３５の長手方向の両端近傍から背面側に突出する一対の突出部２３６とを含み、一対の突出部２３６の各々には一部を切り欠いた係合溝２３６Ａが形成されている。なお、本体施錠機構１４０の基体部材１４３には、一対の払出ブロック側施錠部材を誘導する一対の誘導部１４９が形成されている。前面ブロック１２１に対して払出ブロック１２２が閉鎖された状態（以下、「払出ブロックの閉鎖状態」とも略記）において、一対の払出ブロック側施錠部材２３１が一対の突出部２３６の係合溝部２３６Ａに配置されており、その係合状態が付勢体からの付勢力によって維持される。これによって、前面ブロック１２１に対して払出ブロック１２２が施錠されている状態（以下、「払出ブロックの施錠状態」とも略記）が維持される。一方、本体施錠機構１４０を作動させる方向と逆方向への錠開閉操作機構１５０の操作に応じて、その操作に伴う可動片（図示せず）の回転に連動して前面ブロック側施錠部材２３３が下方側へ移動して、一対の突出部２３６の上面が一対の誘導部１４３Ａの上面と同一又はそれよりも下方側に移動する。これによって、払出ブロック側施錠部材２３１が前面ブロック側施錠部材２３３よりも背面側へ移動させることができるために、前面ブロック１２１に対して払出ブロック１２２を開放することができる。また、払出ブロック施錠機構１２５は、更に、外枠１１０に対する遊技機本体１２０の開放前における前面ブロック１２１に対する払出ブロック１２２の開放を防止する開放防止機構を備えており、前面ブロック１２１に対する払出ブロック１２２の開放は、外枠１１０に対して遊技機本体１２０を開放した後のみにおいて実行できる。
【００７２】
ここで、開放防止機構について説明する。図１１は、遊技機本体の開放過程における払出ブロックの開放防止機構の動作を表す説明図であり、図１１（Ａ）が遊技機本体の閉鎖状態を表し、図１１（Ｂ）が錠開閉操作機構への本体施錠機構１４０による施錠を解除するための操作状態を表し、図１１（Ｃ）が遊技機本体の開放状態を表している。
【００７３】
開放防止機構は、図１１（Ａ）〜図１１（Ｃ）に示されたように、本体施錠機構１４０の基体部材１４３に軸止された一対の支軸２３７（一方のみ図示）と、一対の支軸２３７によって回動自在に軸支された一対の回動部材２３８（一方のみ図示）と、一対の回動部材２３８の各々と基体部材１４３とに接続され、回動部材２３８における支軸２３７と反対側の一端を基体部材１４３の外方向に突出させる方向に付勢する付勢体２３９とを備えている。一対の回動部材２３８の各々には、棹部２３５側に突出する突起部２３８Ａと、棹部２３５側に突出する突起部２３８Ｂと、付勢体２３９の一端が挿通される貫通孔２３８Ｃとが形成されている。基体部材１４３、動力伝達棹１４５及び棹部２３５には、それぞれ、一対の回動部材２３８の突起部２３８Ａに対応して、一対の貫通孔１４３Ａ（一方のみ図示）、一対の貫通孔１４５Ａ（一方のみ図示）及び一対の貫通孔２３８Ａ（一方のみ図示）が形成され、また、動力伝達棹１４５には、更に、一対の回動部材２３８の突起部２３８Ａに対応して一対の貫通孔１４５Ｂ（一方のみ図示）が形成されている。
【００７４】
遊技機本体１２０の閉鎖状態において、図１１（Ａ）に示されたように、回動部材２３８は、付勢体２３９からの付勢力に基づいて枠体１１０の右側板部材１１３に当接している。このとき、突起部２３８Ａは、貫通孔１４３Ａ、貫通孔１４５Ａ及び貫通孔２３８Ａを貫通し、突起部２３８Ｂは、貫通孔１４５Ｂを貫通している。これによって、遊技機本体１２０の閉鎖状態において、前面ブロック１２１に対して払出ブロック１２２を開放させるための錠開閉操作機構１５０の可動軸体１５２への略９０度の左回転操作を実行しようとしても、この操作に伴う棹部２３５の下方側への移動が突出部２３８Ａとの当接によって阻止されるために、左回転操作を略９０度にまで続行することができない。したがって、遊技機本体１２０の閉鎖状態においては、前面ブロック１２１に対して払出ブロック１２２を開放させることはできない。
【００７５】
図１１（Ａ）に示された遊技機本体１２０の閉鎖状態において、前面ブロック１２１に対して払出ブロック１２２を開放させるための可動軸体１５２への略９０度の右回転操作を実行すると、図１１（Ｂ）に示されたように、その操作に応じて動力伝達棹１４５が上方側に移動し、動力伝達棹１４５の移動に伴って貫通孔１４５Ｂに挿通されている回動部材２３８の突起部２３８Ｂが押圧される。これによって、突起部２３８Ｂの押圧に基づいて回動部材２３８が付勢体２３９からの付勢力に抗して回転して、回動部材２３８と右側板部材１１３（図１０参照）との当接が解除される。このとき、本体施錠機構１４０による施錠が動力伝達棹１４５の移動によって解除されており、遊技機本体１２０が枠体１１０に対して開放可能な状態となっている。その後、枠体１１０に対して遊技機本体１２０を開放すると共に可動軸体１５２への略９０度の右回転操作を解除すると、図１１（Ｃ）に示されたように、付勢体２３９からの付勢力に基づいて回動部材２３８が回転して、回動部材２３８の突出部２３８Ａが貫通孔２３８Ａから抜脱される。これによって、払出ブロック１２２が前面ブロック１２１に対して開放可能な状態となる。
【００７６】
なお、図１１（Ｃ）に示された場合には、回動部材２３８の一部は、図１１（Ａ）に示された場合（図１１（Ｃ）中の一点鎖線）よりも外方向に突出している。これによって、遊技機本体１２０を閉鎖させる場合において、本体施錠機構１４０の一対の外枠側施錠部材１４１の係合爪部１４１Ａ（図４参照）と一対の本体側施錠部材１４４の係合溝部１４４Ａ（図４参照）とが当接する前に、回動部材２３８と右側板部材１１３と当接させることができ、係合爪部１４１Ａと係合溝部１４４Ａとの衝突に起因する本体施錠機構１４０の損傷や故障が防止できる。
【００７７】
ここで、払出ブロックの開放過程における払出ブロック施錠機構の動作について説明する。図１２は、払出ブロックの開放過程における払出ブロック施錠機構の動作を表す説明図であり、図１２（Ａ）が払出ブロックの閉鎖状態を表し、図１２（Ｂ）及び図１２（Ｃ）が錠開閉操作機構への本体施錠機構１４０による施錠を解除するための操作状態を表し、図１２（Ｄ）が払出ブロックの開放状態を表している。
【００７８】
払出ブロック施錠機構１２５は、図１２（Ａ）に示されたように、払出ブロック１２２の閉鎖状態であり、錠開閉操作機構１５０（図１参照）の可動軸体１５２に対して略９０度の左回転操作が実行されていない場合に、前面ブロック側施錠部材２３３（図１６参照）の一対の突出部２３６（一方のみ図示）が一対の払出ブロック側施錠部材２３１（一方のみ図示）（図１０も参照）よりも後方側に配置され、可動軸体１５２への略９０度の左回転操作を伴わない前面ブロック１２１に対する払出ブロック１２２と遊技ブロック１２３との一体的な開放回転が禁止された施錠状態である。なお、可動軸体１５２を操作するための開閉鍵（図示せず）の挿抜は、可動軸体１５２への操作がなされておらず、基準位置に配置されている場合にのみ実行できる。
【００７９】
図１２（Ａ）に示された施錠状態における可動軸体１５２への左回転操作に応じて、図１２（Ｂ）に示されたように、前面ブロック側施錠部材２３３の下方側への移動に伴う突出部２３６も基体部材１４３の誘導部１４９側へ移動し、略９０度の左回転操作の完了により、突出部２３６の上面Ｓ１３が誘導部１４９の上面Ｓ２１よりも下側に配置される。これによって、払出ブロック側施錠部材２３１が突出部２３６の上方を誘導部１４９に沿って移動できる状態となる。なお、図１２（Ｃ）に示されたように、払出ブロック側施錠部材２３１が突出部２３６の上方に配置されている場合において可動軸体１５２への左回転操作が解除されると、突出部２３６（前面ブロック側施錠部材２３３の全体）は付勢体（図示せず）の付勢力に基づいて上方側に移動するが、払出ブロック側施錠部材２３１に当接するとそれ以上の移動が阻止される。このとき、突出部２３６の上面Ｓ１３は誘導部１４９の上面Ｓ２１と実質的に同一の高さに位置している。このように、略９０度の左回転操作が実行されると共に払出ブロック１２２が所定の角度範囲内の角度だけ回転して、払出ブロック側施錠部材２３１の少なくとも一部が突出部２３６の上方に配置されている中間開錠状態においては、可動軸体１５２への左回転操作を伴わずに、前面ブロック１２１に対する開放角度を大きくする方向に払出ブロック１２２と遊技ブロック１２３とを一体的に回転（以下において「開放回転」とも称す）させることも、開放角度を小さくする方向に回転（以下において「閉鎖回転」とも称す）させることもできる。なお、この中間開錠状態においては、可動軸体１５２が基準位置に復帰しないために、開閉鍵を可動軸体１５２から抜脱することはできない。また、払出ブロック１２２に対して遊技ブロック１２３を開放することもできない。
【００８０】
図１２（Ｃ）に示された中間開錠状態から更に払出ブロック１２２と遊技ブロック１２３とが一体的に開放回転され、突出部２３６の上方に払出ブロック側施錠部材２３１が配置されない角度以上まで回転されると、図１２（Ｄ）に示されたように、それより開放角度が大きい範囲内において、可動軸体１５２への左回転操作を伴わずに払出ブロック１２２と遊技ブロック１２３とを一体的に開放回転させることも、閉鎖回転させることもできる完全開錠状態となる。可動軸体１５２への左回転操作を維持した状態で完全開錠状態へ移行させた場合には、その左回転操作の解除に応じて突出部２３６が上方に移動して所定の基準位置に復帰する。一方、中間開錠状態において可動軸体１５２への左回転操作が解除された状態で完全開錠状態へ移行させた場合には、払出ブロック側施錠部材２３１が突出部２３６の上方に配置されない角度への払出ブロック及び遊技ブロックの一体的な開放回転に応じて突出部２３６は自動的に上方に移動して所定の基準位置に復帰する。これによって、完全開錠状態においては、開閉鍵を可動軸体１５２から抜脱することができる。
【００８１】
一対の遊技ブロック固定機構１２６は、図９及び図１０に示されたように、払出ブロック１２２に固着された一対の払出ブロック側固定部材２４１（図３１も参照）と、遊技ブロック１２３に設けられた一対の固定機構２４２（図４１も参照）とを備えている。一対の払出ブロック側固定部材２４１の各々は、図３１に示されるように、上下方向の中央側に向けて延出する被挟持部２４１Ａと、被挟持部２４１Ａに対して略垂直に屈曲して前方側に突出する位置補正部２４１Ｂとを含んでいる。一対の固定機構２４２の各々は、図４１に示されるように、払出ブロック１２２に形成された固定壁部２４４と、遊技ブロック１２３に回動自在に軸支された可動挟持部材２４５とを含んでいる。可動挟持部材２４５は、軸支部２４５Ａと、軸支部２４５Ａの周縁において円周方向に突出する操作部２４５Ｂと、軸支部２４５Ａから回動軸方向に沿って固定壁部２４４よりも後方側まで突出する接続部２４５Ｃと、接続部２４５Ｃの先端から回動軸と略垂直方向に突出する挟持部２４５Ｄとを含んでおり、一対の遊技ブロック固定機構１２６の各々によって払出ブロック１２２に対して遊技ブロック１２３の固定されている状態（以下「遊技ブロック１２３の固定状態」とも略記）において、固定壁部２４４が払出ブロック側固定部材２４１の位置補正部２４１Ｂに載置されており、挟持部２４５Ｄと固定壁部２４４とが被挟持部２４１Ａを挟持している。可動挟持部材２４５を回転させる操作部２４５Ｂへの力の付与によって挟持部２４５Ｄが回転し、その回転に伴い挟持状態が解除される。更に挟持部２４５Ｄを回転させると、前後方向に対して挟持部２４５Ｄが払出ブロック側固定部材２４１を被覆しない状態へと移行する。これによって、払出ブロック１２２に対する遊技ブロック１２３の回転が可能な状態（以下「遊技ブロック１２３の固定解除状態」とも略記）となる。
【００８２】
払出ブロック１２２に対して遊技ブロック１２３が一対の遊技ブロック固定機構１２６を介して一体化されていない場合には、可動挟持部材２４５が前面ブロック１２１に衝突することとなり、前面ブロック１２１に対して払出ブロック１２２及び遊技ブロック１２３を一体的に閉鎖状態まで回転させることはできない。また、前面ブロック１２１に対して払出ブロック１２２及び遊技ブロック１２３が一対の払出ブロック施錠機構１２５を介して一体化されている場合には、可動挟持部材２４５が前面ブロック１２１の内部に配置されているために、一対の遊技ブロック固定機構１２６に対する操作ができず、払出ブロック１２２と遊技ブロック１２３との固定を解除することはできない。
【００８３】
遊技機本体１２０は、図９に示されたように、更に、払出ブロック１２２の閉鎖状態において払出ブロック１２２から前面ブロック１２１への遊技球の移動を許容し、前面ブロック１２１に対する払出ブロック１２２の開放状態においてその移動を禁止するブロック間遊技球移動規制機構１２７（一部のみ図示）を備えている。ブロック間遊技球移動規制機構１２７は、払出ブロック１２２に形成され、遊技進行に応じて払い出された遊技球や貸し出された遊技球（以下、これらをまとめて「放出球」とも称す）を上貯留皿３２０（図１参照）へ誘導する上皿誘導通路５０２（図３５参照）で払出ブロック１２２から前面ブロック１２１へのそれらの遊技球の移動を許容する移動許容状態とその移動を禁止する移動禁止状態との間で状態移行する上皿側球止め機構２５１（図３４参照）と、払出ブロック１２２に形成され、放出球を下貯留皿３３０（図１参照）へ誘導する下皿誘導通路５０３（図３４参照）における払出ブロック１２２から前面ブロック１２１への遊技球の移動を許容する移動許容状態とその移動を禁止する移動禁止状態との間で状態移行する下皿側球止め機構２５２（図３４参照）と、前面ブロック１２１に形成され、前面ブロック１２１に対する払出ブロック１２２の開閉動作に応じて上皿側球止め機構２５１の規制状態を変化させる上皿側規制変更部材２５３と、前面ブロック１２１に形成され、前面ブロック１２１に対する払出ブロック１２２の開閉動作に応じて下皿側球止め機構２５２の規制状態を変化させる下皿側規制変更部材２５４とで構成されている。
【００８４】
遊技機本体１２０は、図９及び図１０に示されたように、更に、前面ブロック１２１に対する払出ブロック１２２の閉鎖状態における前面ブロック１２１に対する払出ブロック１２２の施錠の解除に応じたブロック間遊技球移動規制機構１２７の付勢体からの付勢力に基づく前面ブロック１２１に対する払出ブロック１２２の回転を所定の微少角度に制限する自動開放制限機構１２８を備えている。
【００８５】
ここで、自動開放制限機構１２８について詳細に説明する。図１３（Ａ）及び図１３（Ｂ）は、自動開放制限機構の一例の近傍を表す斜視図である。図１３（Ａ）及び図１３（Ｂ）は、それぞれ、払出ブロック１２２の閉鎖状態及び開放状態を表している。自動開放制限機構１２８は、図１３（Ａ）及び図１３（Ｂ）に示されたように、払出ブロック１２２の払出ブロック基体５００に形成された係合丘部２７１と、払出ブロック基体５００に形成され、係合丘部２７１よりも後方側に位置する陥没部２７２と、本体施錠機構１４０の基体部材１４３を介して前面ブロック１２１の基枠３００に固着された保護カバー１５９から延設された係合爪部２７３とを含んでいる。自動開放制限機構１２８は、図１３（Ａ）に示されたように、払出ブロック１２２の施錠状態において、係合爪部２７３の突出爪２７３Ａが陥没部２７２に配置され、また、係合爪部２７３の突出腕２７３Ｂが係合丘部２７１と対向して配置され、突出爪２７３Ａ及び突出腕２７３Ｂが係合丘部２７１と接触していない閉鎖時非係合状態である。前面ブロック１２１に対して払出ブロック１２２が開放回転すると、自動開放制限機構１２８は、突出爪２７３Ａが係合丘部２７１に乗り上げ、突出腕２７３Ｂが大きく撓んだ強係合状態となる。更に払出ブロック１２２が開放回転すると、自動開放制限機構１２８は、突出爪２７３Ａが係合丘部２７１から乗り下がって、払出ブロック基体５００の先端部２７４と係合し、突出腕２７３Ｂが小さく撓んだ弱係合状態となる。更に払出ブロック１２２が開放回転すると、払出ブロック基体５００との係合が外れ、突出腕２７３Ｂの撓みが解消された開放時非係合状態となる。
【００８６】
前面ブロック１２１に対して払出ブロック１２２及び遊技ブロック１２３を一体的に開放する場合及びそれらを一体的に閉鎖させる場合における払出ブロック施錠機構１２５、上皿側球止め機構２５１、下皿側球止め機構２５２及び自動開放制限機構１２８の動作について包括的に説明する。なお、以下においては簡単のために、払出ブロック１２２を開放又は閉鎖するという場合には、前面ブロック１２１に対して払出ブロック１２２及び遊技ブロック１２３を一体的に開放する場合を意味することとする。図１４は、前面ブロックに対して払出ブロック及び遊技ブロックを一体的に開放する場合の払出ブロック施錠機構及び自動開放制限機構の動作の一例を表す説明図であり、図１４（Ａ）が払出ブロックの閉鎖状態の一例を表し、図１４（Ｂ）が払出ブロックの自動開放が停止された際の中間開錠状態を表し、図１４（Ｃ）が払出ブロックの手動による開放操作中の中間開錠状態を表し、図１４（Ｄ）が払出ブロックの完全開錠状態を表している。なお、以下においては図１４と共に図１２も参照する。図１４（Ａ）〜図１４（Ｄ）に示された各状態は、それぞれ、図１２（Ａ）〜図１２（Ｄ）に示された各状態に対応している。
【００８７】
予め、図１に示された外枠１１０に対する遊技機本体１２０の閉鎖状態において、錠開閉操作機構１５０の可動軸体１５２に開閉鍵を挿入し、開閉鍵による可動軸体１５２の右回転操作と共に外枠１１０に対して遊技機本体１２０を開放移動させる操作を行って、図９に示されたような外枠１１０に対する遊技機本体１２０の開放状態に移行させる。これによって、図１１（Ａ）に示されたように、回動部材１４６の突出部１４３Ａが払出ブロック側施錠部材２３３の棹部２３５に形成された貫通孔２３５Ａに挿通されている開放禁止状態から、図１１（Ｃ）に示されたように、突出部１４３Ａが貫通孔２３５Ａから抜脱されている開放許容状態へ移行し、前面ブロック１２１に対して払出ブロック１２２を開放するために必要な可動軸体１５２の左回転操作が許容される。
【００８８】
枠体１１０に対する遊技機本体１２０の開放後であって前面ブロック１２１に対して払出ブロックが閉鎖された状態において、図１４（Ａ）及び図１２（Ａ）に示されたように、前面ブロック側施錠部材２３３の突出部２３６によって払出ブロック側施錠部材２３１の移動が阻止されているために、前面ブロック１２１に対する払出ブロック１２２の開放回転が禁止されている。このとき、払出ブロック１２２は、上皿側球止め機構２５１の付勢体（図示せず）及び下皿側球止め機構２５２の付勢体（図示せず）からの付勢力に基づいて、前面ブロック１２１に対して払出ブロック１２２を開放回転させる方向に付勢されている。これによって、図１２（Ａ）に示されたように、払出ブロック側施錠部材２３１が突出部２３６側に押圧されて、払出ブロック側施錠部材２３１は突出部２３６の傾斜側面Ｓ１１に当接している。また、図１４（Ａ）に示されたように、係合爪部２７３の突出爪２７３Ａの一部が係合丘部２７１よりも背面側の陥没部２７２に位置するものの係合丘部２７１に当接しないように、また、係合爪部２７３の突出腕２７３Ｂが係合丘部２７１と対向するように、係合爪部２７３が配置されている。
【００８９】
まず、図１４（Ａ）及び図１２（Ａ）に示された状態において可動軸体１５２を左回転操作すると、突出部２３６が下方側（図１４の紙面の裏面側：図１２における下側）に移動し、この移動に応じて払出ブロック側施錠部材２３１は突出部２３６の傾斜側面Ｓ１１との当接を維持しながら誘導部１４９の上面Ｓ２１に沿って後方側（図１４の上側：図１２における右側）へ移動する。これによって、前面ブロック１２１に対して払出ブロック１２２が自動的に開放回転する。同様に、係合丘部２７１も払出ブロック１２２の自動的な開放回転に応じて後方側（図１４の紙面の裏面側）へ移動する。ブロック側施錠部材２３１と突出部２３６の傾斜側面Ｓ１１との当接が維持された状態での払出ブロック１２２の自動的な開放回転中において、突出爪２７３Ａの傾斜面Ｓ３１が係合丘部２７１に当接し、突出腕２７３Ｂが撓むことによって突出爪２７３Ａが係合丘部２７１に乗り上げる。なお、突出爪２７３Ａの係合丘部２７１への乗り上げが進行するにつれて、突出腕２７３Ｂの撓みが大きくなり、突出爪２７３Ａと係合丘部２７１との摩擦力も大きくなる。一方、上皿側球止め機構２５１の付勢体及び下皿側球止め機構２５２の付勢体からの付勢力は、払出ブロック１２２の自動的な開放回転が進行するにつれて弱くなる。
【００９０】
可動軸体１５２の右回転操作が進行すると、突出部２３６の下方側への移動も進行し、この移動に応じて払出ブロック側施錠部材２３１は突出部２３６の傾斜面Ｓ１２との当接状態を維持しながら後方側へ移動する。これによって、前面ブロック１２１に対する払出ブロック１２２の自動的な開放回転が進行する。同様に、係合丘部２７１の後方側（図１４の紙面の裏面側）への移動も進行する。ブロック側施錠部材２３１と突出部２３６の傾斜側面Ｓ１２との当接が維持された状態での払出ブロック１２２の自動的な開放回転中において、突出爪２７３Ａの係合丘部２７１への乗り上げが完了する。これによって、突出腕２７３Ｂの撓みが更に大きくなって突出爪２７３Ａと係合丘部２７１との摩擦力も更に大きくなり、一方、付勢体及び付勢体からの付勢力は更に弱くなるために、払出ブロック１２２の自動的な開放回転に急制動が働くこととなる。
【００９１】
更に可動軸体１５２の右回転操作が進行して、突出部２３６の平坦面Ｓ１３が誘導部１４９の上面Ｓ２１の位置を超えて下方側に移動すると、払出ブロック側施錠部材２３１と突出部２３６との当接が解除され、払出ブロック側施錠部材２３１は誘導部１４９の上面Ｓ２１に沿って後方側に移動する。これによって、前面ブロック１２１に対する払出ブロック１２２の自動的な開放回転が更に進行する。同様に、突出爪２７３Ａの係合丘部２７１への乗り上げが完了した状態を維持しながら、係合丘部２７１の後方側（図１４の紙面の裏面側）への移動が更に進行する。可動軸体１５２に対する略９０度の右回転操作が完了すると、図１２（Ｂ）に示されたように、突出部２３６の平坦面Ｓ１３が誘導部１４９の上面Ｓ２１の位置を超えて下方側に移動する。
【００９２】
払出ブロック側施錠部材２３１と突出部２３６との当接が解除され、払出ブロック側施錠部材２３１と誘導部１４９の上面Ｓ２１とが当接した状態における払出ブロック１２２の自動的な開放回転中において、図１４（Ｂ）及び図１２（Ｂ）に示されたように、払出ブロック側施錠部材２３１が突出部２３６の上面Ｓ１３の上方に位置した払出ブロック施錠機構２３２の中間開錠状態で停止する。払出ブロックの自動的な開放回転の停止後に、開閉鍵から手を離して可動軸体１５２への右回転操作を解除する。これによって、払出ブロック施錠機構の付勢体（図示せず）からの付勢力に基づいて、突出部２３６は図１２（Ａ）に示されたような基準位置へ復帰しようとして上方側に移動するが、払出ブロック側施錠部材２３１に当接することによって基準位置への復帰が阻止される。上述のように、中間開錠状態においては、可動軸体１５２への左回転操作を伴わずに、払出ブロック１２２を開放回転させることも、閉鎖回転させることもできる。なお、払出ブロック１２２の自動的な開放回転の停止された際に、上皿側球止め機構２５１及び下皿側球止め機構２５２の各々は、遊技球の流下を禁止する移動禁止状態となっている。
【００９３】
前面ブロックと払出ブロック１２２とを掴んで更に払出ブロック１２２を開放回転させると、図１４（Ｃ）に示されたように、払出ブロック側施錠部材２３１が、払出ブロック側施錠部材２３１と突出部２３６の上面Ｓ１３との当接を維持しながら後方側へ移動する。ブロック側施錠部材２３１と突出部２３６の上面Ｓ１３との当接が維持された状態での払出ブロック１２２の開放回転中において、突出爪２７３Ａの傾斜面Ｓ３２が係合丘部２７１に当接して突出爪２７３Ａが係合丘部２７１から乗り下がると伴に係合爪２７３Ａが先端部２７４に乗り上げる。これによって、突出腕２７３Ｂの撓みが緩和されるが、突出爪２７３Ａと先端部２７４と当接している状態において突出腕２７３Ｂは撓んだ状態を維持している。前面ブロックと払出ブロック１２２とを掴んだ状態で払出ブロック１２２を開放回転させると、突出爪２７３Ａの傾斜面Ｓ３２が先端部２７４から乗り下がり、突出爪２７３Ａと先端部２７４と当接が解除される。
【００９４】
突出爪２７３Ａと先端部２７４と当接が解除された状態において、更に払出ブロック１２２を開放回転させると、払出ブロック側施錠部材２３１の後方側への移動が更に進行し、払出ブロック側施錠部材２３１と突出部２３６の上面Ｓ１３との当接が解除される。これによって、図１２（Ｄ）に示されたように、突出部２３６は、払出ブロック施錠機構の付勢体（図示せず）からの付勢力に基づいて、基準位置へ復帰し、払出ブロック施錠機構２３０は完全開錠状態となる。上述のように、完全開錠状態においては、可動軸体１５２への左回転操作を伴わずに、払出ブロック１２１を開放回転させることも、閉鎖回転させることもできる。但し、一旦、払出ブロック施錠機構２３０を完全開錠状態に移行させると、再度、開閉鍵による可動軸体１５２への略９０度の左回転操作を行わなければ、閉鎖回転によって中間開錠状態に復帰させることができなくなる。
【００９５】
逆に、前面ブロック１２１に対する払出ブロック１２２の完全開錠状態から施錠状態へ移行させる場合には、前面ブロックと払出ブロック１２２とを掴んで前面ブロック１２１に対して払出ブロック１２２を閉鎖回転させ、払出ブロック１２２の開放角度が所定の角度になった場合、例えば、払出ブロック側施錠部材２３１と突出部２３６又は誘導部１４９に当接した場合に、開閉鍵によって略９０度の左回転操作を行いながら払出ブロック１２２の閉鎖回転を続行して払出ブロック１２２を閉鎖状態に移行させたり、開閉鍵によって略９０度の左回転操作を行いながら払出ブロックの閉鎖回転を続行して前面ブロック１２１に対して払出ブロック１２２を中間開錠状態に移行させたりした後に、再度前面ブロックと払出ブロック１２２とを掴んで払出ブロック１２２を閉鎖状態に移行させたりする。
【００９６】
上述のように、錠開閉操作機構１５０の所定の操作に基づく払出ブロック施錠機構１２５の開錠に応じて前面ブロック１２１に対して払出ブロック１２２及び遊技ブロック１２３を自動的に開放させるが、払出ブロック施錠機構１２５に対して錠開閉操作機構１５０への所定の操作を一旦実行すれば、その後は所定の操作を実行するための開閉鍵から手を離しても前面ブロック１２１を押さえていれば、更なる錠開閉操作機構１５０への操作を伴わずに手動で払出ブロック１２２及び遊技ブロック１２３を完全開放状態へ移行させたり、閉鎖状態へ移行させたりすることができる中間開放範囲内の半開放固定状態で停止させることができる。これによって、半開放固定状態において、錠開閉操作機構１５０に対して操作部への所定の操作を一旦実行すればその後は所定の操作を実行するための開閉鍵から手を離しても前面ブロック１２１を押さえていれば、前面ブロック１２１に対して払出ブロック１２２及び遊技ブロック１２３を開放できるために、前面ブロック１２１に対して払出ブロック１２２及び遊技ブロック１２３を開放させる際に錠開閉操作機構１５０を操作した状態で前面ブロック１２１と払出ブロック１２２及び遊技ブロック１２３とを開放させる必要がなくなる。したがって、前面ブロック１２１に対する払出ブロック１２２及び遊技ブロック１２３の開放操作の円滑性が向上し、また、施錠機構への負荷が低減することによって前面ブロック１２１に対して払出ブロック１２２を施錠する施錠機構の耐久性が向上する。更に、枠体に対する遊技機本体の開放又は閉鎖における誤操作によって前面ブロック１２１に対して払出ブロック１２２を開錠する操作がなされたとしても半開放固定状態で停止し、前面ブロック１２１に対して払出ブロック１２２及び遊技ブロック１２３が大開放範囲まで開放されないために、前面ブロック１２１と払出ブロック１２２及び遊技ブロック１２３とを押さえることによって前面ブロック１２１に対して払出ブロック１２２及び遊技ブロック１２３を閉鎖状態に簡便に復帰させることができ、錠開閉操作機構１５０を操作した状態で前面ブロック１２１に対して払出ブロック１２２及び遊技ブロック１２３を閉鎖させる必要がなくなる。したがって、前面ブロック１２１に対する払出ブロック１２２及び遊技ブロック１２３の開放操作の円滑性が向上し、また、施錠機構への負荷が低減することによって前面ブロック１２１に対して払出ブロック１２２を施錠する施錠機構の耐久性が向上する。
【００９７】
前面ブロック１２１は、主に、入賞に伴い払い出された遊技球（以下「払出球」とも称す）や貸し出された遊技球（以下「貸与球」とも称す）を遊技者によって取り扱い可能な状態で貯留したり、単位遊技の開始条件となる所定の個数の遊技球を投入（以下「ベット」とも称す）したり、単位遊技を進行させるための遊技者による各種の入力を受け付けたり、遊技進行に伴う所定の遊技状態を報知したり、遊技進行に伴う視覚的及び聴覚的な演出を行ったりする。払出ブロック１２２は、主に、投入された遊技球の返却及び遊技者への遊技球の払い出しを行う。なお、払出ブロック１２２は、外部電力を取り込んで球式回胴遊技機１００の各部へ内部電力を供給する。遊技ブロック１２３は、主に、単位遊技における当選役を決定する抽選や当選役に基づく単位遊技の結果の表示や当選役に基づく演出の報知等の遊技進行の包括的な管理を行う。なお、前面ブロック１２１及び払出ブロック１２２は球式回胴遊技機の種類に実質的に依存せず、また、遊技ブロック１２３は払出ブロック１２２に対して着脱自在に支持されているために、遊技ブロック１２３のみを取り替えること（一般的に、「面替え」と称される）によって他の遊技性を有する遊技機に変更ができる。以下において、前面ブロック１２１、払出ブロック１２２、遊技ブロック１２３についてブロック別に概ねこの順序で詳細に説明する。
【００９８】
なお、それらの説明に先立ち、説明の便宜上、遊技ブロック１２３における回胴ユニット７１０について簡単に説明する。遊技ブロック１２３は、図９に示されたように、左回胴８１０Ｌと、中回胴８１０Ｍと、右回胴８１０Ｒとを備えている。左回胴８１０Ｌ、中回胴８１０Ｍ及び右回胴８１０Ｒの各々の表面には複数種類の図柄が描かれており、単位遊技の開始時に左回胴８１０Ｌ、中回胴８１０Ｍ及び右回胴８１０Ｒの全てが所定の方向に回転することによって図柄表示が変動し、その後、左回胴８１０Ｌ、中回胴８１０Ｍ及び右回胴８１０Ｒの全てが停止することによって遊技結果を表す図柄表示が確定される。
【００９９】
（前面ブロック）
前面ブロック１２１について説明する。図１５及び図１６は、それぞれ、前面ブロックの一例を表す正面側及び背面側の斜視図であり、図１７及び図１８は、それぞれ、前面ブロックの一例を表す正面側及び背面側の分解斜視図である。前面ブロック１２１は、図１５〜図１８に示されたように、基枠３００と、基枠３００に取着され、遊技ブロック１２３における遊技結果の表示や遊技進行に伴う演出等を透視できる透明性の遊技領域透視パネル３０１と、基枠３００の前面側に取着された前面パネル枠３１０と、遊技球を貯留する上貯留皿３２０と、遊技球を貯留する下貯留皿３３０（図１５及び図１７のみ）と、遊技球の投入指示を入力するベット操作装置３４０（図１５、図１７及び図１８のみ）と、上貯留皿３２０に貯留された遊技球を下貯留皿３３０へ移動させたり、一旦投入された遊技球を返却させたりするために操作される返却操作機構３５０（図１５、図１７及び図１８のみ）と、ベット操作装置３４０への投入指示の入力に応じて上貯留皿３２０に貯留された遊技球を投入したり、返却操作機構３５０の操作に応じて上貯留皿３２０に貯留された遊技球を下貯留皿３３０に移動させたり、返却操作機構３５０の操作を検知して投入済の遊技球と同数の遊技球の返却を指示したりする投入装置３６０（図１６及び図１７のみ）と、単位遊技の開始指示を入力する単位遊技開始操作装置３７０（図１５、図１７及び図１８のみ）と、遊技ブロック１２３における図柄変動の停止指示を入力する図柄変動停止装置３８０（図１５、図１７及び図１８のみ）と、球式回胴遊技機１００に隣接して設けられる球貸出制御ユニット（図示せず）と連動して遊技球の貸出指示を入力したり、貸し出し状況を表示したりする球貸出操作装置３９０と、遊技進行に伴う音響演出や遊技状態に応じた音響報知を行う下音響装置３１１、右上音響装置３１２及び左上音響装置３１３（図１５、図１７及び図１８のみ）からなる音響装置群と、遊技進行に伴う発光演出や遊技状態に応じた発光報知を行う上発光装置３１４、右発光装置３１５（図１５、図１７及び図１８のみ）及び左発光装置３１６からなる枠発光装置群と、遊技進行に伴う演出形態を変更する演出変更操作装置３１９（図１５、図１７及び図１８のみ）とを備えている。
【０１００】
基枠３００及び前面パネル枠３１０の各々は、前面ブロック１２１に設けられる各種の装置等を固定するための基礎となる枠体である。また、遊技機本体１２０の一部としての基枠３００には、遊技機本体１２０（図４参照）と外枠１１０（図４参照）とを回動自在に支持固定する一対の本体支持機構１３０（図４参照）を構成する図１６に示された一対の本体側固定部材１３２と、外枠１１０に対して遊技機本体１２０を施錠する本体施錠機構１４０を構成する図１８に示された施錠機構１４２、施錠機構１４２（図１８参照）を操作するための図１５に示された錠開閉操作機構１５０と、外枠１１０に対する遊技機本体１２０の開閉状態を検出する本体開閉検出装置１６０（図５参照）の図１６に示された可動部材１６２及び付勢体１６３と、外枠１１０に対する遊技機本体１２０の開閉を円滑化する開閉円滑化機構１７０（図３参照）の図１６に示された内側ローラ１７１及び外側ローラ１７２と、外枠１１０（図９参照）に対する遊技機本体１２０（図９参照）の意図しない開放を抑制する図１８に示された滑止部材１８０とが取着されている。以下において、図１５及び図１６を参照しながら前面ブロック１２１の具体的な構成について説明する。
【０１０１】
遊技領域透視パネル３０１は、基枠３００の窓部に後方側から挿入され、遊技領域透視パネル３０１の周縁において基枠３００にネジ止めされている。遊技領域透視パネル３０１の背面側には遊技ブロック１２３（図４参照）が配置されており、遊技者は、遊技領域透視パネル３０１を通して遊技ブロック１２３で表示される各種の情報や演出を視認できる。
【０１０２】
上貯留皿３２０は、遊技領域透視パネル３０１の下方において、前面パネル枠３１０を貫通してその一部が前面側に突出するように基枠３００に取着されており、遊技球をベット用に貯留する。上貯留皿３２０には、遊技者が遊技球を直接に投入できると共に、払出球が自動的に流入する。なお、上貯留皿３２０は、返却操作機構３５０及び球貸出操作装置３９０と共に、それらが一体化された上皿ユニットを構成する。図１９は上皿ユニットの一例を表す分解斜視図である。
【０１０３】
上貯留皿３２０は、図１９に示されたように、桶状部材３２１と、桶状部材３２１の後方側を覆う板状の被覆部材３２２と、遊技球の流下を一段に制限すると共に下方に配置される投入装置３６０（図１６参照）を外部から遮蔽する遮蔽整流部材３２３（第１遮蔽整流部材３２３Ａ及び第２遮蔽整流部材３２３Ｂ）と、桶状部材３２１から投入装置３６０への流下を規制する流下規制機構３２４とを備えている。桶状部材３２１には、一端に払出球や貸出球を流入させる流入口３２１Ａが形成され、他端に桶状部材３２１に貯留されている遊技球を投入装置３６０へ流出させる流出口３２１Ｂ（図２０参照）が形成されている。桶状部材３２１の底面は、流入口３２１Ａ側から流出口３２１Ｂ側へ向けて緩やかに傾斜しており、遊技球が自重によって流入口３２１Ａ側から流出口３２１Ｂ側へ向けて自動的に流下する。桶状部材３２１の下流側であって遮蔽整流部材３２３の下方には遊技球を３条（３列）に分配整列させる２つの整列突起３２５が取着されている。これによって、上貯留皿３２０には３条の流出通路３２１Ｃ（図２０及び図２２も参照）が形成される。また、桶状部材３２１の底面は、前方側から後方側へ向けて緩やかに傾斜しており、後方側の流出通路に優先的に遊技球が流入する。具体的には、前方側の第３条の流出通路３２１Ｃよりも中間の第２条の流出通路３２１Ｃへ流入し易く、第２条の流出通路３２１Ｃよりも後方側の第１条の流出通路３２１Ｃへ流入し易い。遮蔽整流部材３２３の下面にも整列突起（図示せず）が形成されており、遊技球の整列状態が維持される。遮蔽整流部材３２３の下面は３条の流出通路３２１Ｃの各々が下流側に向けて上下方向の幅が小さくなるように傾斜している。これによって、遊技球が積層状態で貯留されていたとしてもそれらが一段（一層）に規制される。したがって、上貯留皿３２０から投入装置３６０への遊技球の流入が円滑化される。
【０１０４】
流下規制機構３２４は、上貯留皿３２０の桶状部材３２１から投入装置３６０への遊技球の流入を許容したり、禁止したりする。流下規制機構３２４は、操作部材３２７と、操作部材３２７を回動自在に支持する支持部材３２８と、操作部材３２７の回転操作に連動して移動する流下規制部材３２９とを備えている。操作部材３２７は、支持部材３２８によって回転自在に支持される回転軸部３２７Ａと、回転軸部３２７Ａの一端に延設された操作レバー部３２７Ｂと、回転軸部３２７Ａから放射方向に突出し流下規制部材３２９を流入禁止位置へ移動させる３つの突起部３２７Ｃと、回転軸部３２７Ａから放射方向に突出し流下規制部材３２９を流下許容位置へ移動させる３つの突起部３２７Ｄと、操作レバー部３２７Ｂの回転角度を制限する回転制限壁部３２７Ｅとを含んでいる。支持部材３２８は、操作部材３２７の回転軸部３２７Ａを回動自在に支持する４つの軸受部３２８Ａ〜３２８Ｄと、操作部材３２７の回転制限壁部３２７Ｅとの係合によって操作部材３２７の操作レバー部３２７Ｂの回転を制限する回転制限突起部３２８Ｅとを含んでいる。流下規制部材３２９は、突起部３２７Ｃとの係合によって流下規制部材３２９を流下禁止位置に移動させる動力受け部３２９Ａと、突起部３２７Ｃとの係合によって流下規制部材３２９を流下許容位置に移動させる動力を受ける動力受け部３２９Ｂと、桶状部材３２１の流出口３２１Ｂへの突出又は流出口３２１Ｂから抜脱によって桶状部材３２１からの遊技球の流出を規制する３つの規制爪部３２９Ｃとを含んでいる。３つの規制爪部３２９Ｃは、それぞれ、桶状部材３２１における３つ流出通路３２１Ｃに対応して設けられている。
【０１０５】
ここで、流下規制機構３２４の動作について詳細に説明する。図２０及び図２１は、それぞれ、流下規制機構３２４の流下許容状態及び流下禁止状態を表す断面図である。なお、図２０及び図２１には、説明の便宜のために投入装置３６０も表されている。規制爪部３２９Ｃは、図２０に示された流下許容状態において、流出通路３２１Ｃの流出口３２１Ｂから遊技球が流出できる領域を確保するように配置されている。この流下許容状態において、操作部材３２７の操作レバー部３２７Ｂ（図１９参照）を回転させると、その回転に応じて回転軸部３２７Ａが回転し、突起部３２７Ｃが流下規制部材３２９の動力受け部３２９Ａに当接する。更に、操作レバー部３２７Ｂを回転させると、突起部３２７Ｃが動力受け部３２９Ａを押圧し、その押圧力によって流下規制部材３２９が移動する。これによって、流下規制部材３２９の規制爪部３２９Ｃが、図２１に示されたように流出口３２１Ｂを狭窄し、流出口３２１Ｂから遊技球が流出できなくなる。逆に、図２１に示された流下禁止状態において、操作部材３２７の操作レバー部３２７Ｂを逆回転させると、その回転に応じて回転軸部３２７Ａが回転し、突起部３２７Ｄが流下規制部材３２９の動力受け部３２９Ｂに当接する。更に、操作レバー部３２７Ｂを回転させると、突起部３２７Ｄが動力受け部３２９Ｃを押圧し、その押圧力によって流下規制部材３２９が移動する。これによって、流下規制部材３２９の規制爪部３２９Ｃは、図２０に示されたように流出口３２１Ｂから遊技球が流出できる空間を確保するように配置される。
【０１０６】
ここで、基枠３００への上貯留皿３２０の取り付けについて説明する。なお、上貯留皿３２０は、返却操作機構３５０及び球貸出操作装置３９０と共に、それらが一体化された上皿ユニットを構成し、上皿ユニットが基枠３００に取り付けられることによって前面ブロック１２１に配設される。図２２は上皿ユニットの一例を表す斜視図であり、図２３（Ａ）及び図２３（Ｂ）は上皿ユニット（上貯留皿３２０）の装着過程の一例を表す斜視図である。図２３（Ａ）が上貯留皿３２０（上皿ユニット）の取り付け前を表し、図２３（Ｂ）が上貯留皿３２０（上皿ユニット）の取り付け中を表している。なお、図２３（Ａ）及び図２３（Ｂ）において、投入装置３６０が取着された状態で取り付けるかのように表されているが、正確には投入装置３６０を取着する前に取り付けられる。また、払出ブロック１２２及び遊技ブロック１２３が装着されていない場合が示されているがそれらの装着後においても上皿ユニットは着脱できる。
【０１０７】
上貯留皿３２０の桶状部材３２１には、図２２に示されたように、流入口３２１Ａ側の外壁面から突出し、基枠３００に連結される連結部３２６が形成されており、連結部３２６は、板状の固定壁部３２６Ａと、固定壁部３２６Ａよりも更に外方向に突出する脱落防止壁部３２６Ｂと、固定壁部３２６Ａの上下方向の両端から突出する一対の回転軸部３２６Ｃ（一方のみ図示）とが形成されている。一方、基枠３００には、図２３（Ａ）に示されたように、上貯留皿連結部材３０２が取着されており、上貯留皿連結部材３０２は、上貯留皿３２０の一対の回転軸部３２６Ｃが挿入される上下に一対の軸受部３０２Ａ，３０２Ｂと、脱落防止壁部３２６Ｂの後方側に位置する脱落防止壁部３０２Ｃとを含んでいる。
【０１０８】
図２３（Ａ）に示されたように上貯留皿３２０が基枠３００と乖離している状態において、上貯留皿３２０の一対の回転軸部３２６Ｃが基枠３００の一対の軸受部３０２Ａ，３０２Ｂに挿入される。この状態から図２３（Ｂ）に示されたように上貯留皿３２０を回転させると、固定壁部３２６Ａが下側の軸受部３０２Ｂに乗り上げることによって一対の軸受部３０２Ａ，３０２Ｂの間に配置され、また、上貯留皿３２０の脱落防止壁部３２６Ｂが基枠３００の脱落防止壁部３０２Ｃと対向するようにその前方側に配置される。これによって、上貯留皿３２０は、並進移動によっては基枠３００から離脱できないように回転自在に支持される。所定の位置まで更に回転させた状態において、上貯留皿３２０と基枠３００とが所定の少なくとも１箇所でネジ止めされて固定される。このような構成とすることによって、ネジ止めにおいてネジ止め箇所の位置決めが実質的に不要となるために、ネジ止め箇所の位置決めを行いながら複数の箇所のネジ止めを行う場合に比べて上貯留皿３２０（上皿ユニット）の装着が簡便となり、スループットが向上する。また、演出変更操作装置３１９は遊技者によって連打されたり、必要以上の力で殴打されたりする場合があり寿命が他の操作装置に比べて短くなり易いが、上皿ユニット単位で取り外しできることによって、演出変更操作装置３１９を簡便に取り換えることもできる。
【０１０９】
下貯留皿３３０は、図１５に示されたように、その一部が前面側に突出するように前面パネル枠３１０に取着されており、上貯留皿３２０に貯留しきれない遊技球や球式回胴遊技機１００の外部に排出する場合に一時的に遊技球を貯留する。下貯留皿３３０には、上貯留皿３２０が満杯である場合に払出球が流入し、また、返却操作機構３５０の操作に基づいて上貯留皿３２０に貯留されている遊技球が流入する。下貯留皿３３０は、放出球（払出球、貸出球）が流入する流入口３３１Ａ、上貯留皿３２０に貯留されている遊技球が流入する返却口３３１Ｂ及び遊技球が流出する排出口３３１Ｃが形成された桶状部材３３１と、排出口３３１Ｃを開放する開放位置と排出口３３１Ｃを閉鎖する閉鎖位置との間で移動自在な板状の可動部材３３２と、可動部材３３２を移動させる操作レバー３３３と、可動部材３３２を閉鎖位置側に付勢する付勢体（図示せず）とを備えている。図１５において可動部材３３２が閉鎖位置に位置し、排出口３３１が閉口状態である場合が示されており、この状態から操作レバー３３３を付勢体からの付勢力に抗して左方向へ移動させると、可動部材３３２が開放位置に移動し、排出口３３１が開口状態となる。一方、操作レバー３３３を右方向へ移動させた状態において、操作レバー３３３から手を離すと、可動部材は付勢体からの付勢力によって閉鎖位置に自動的に復帰する。
【０１１０】
ベット操作装置３４０は、前面パネル枠３１０における上貯留皿３２０の前方側に突出する部分に取着されている。ベット操作装置３４０は、単位ベット数（１ベット）に対応する所定の単位個数（例えば、５球）の遊技球をベットする最小ベット操作部３４０Ａと、最大規定数の遊技球をベットする最大ベット操作部３４０Ｃとを備えている。ここで、最大規定数とは、単位遊技においてベットできる遊技球の最大数を意味し、通常遊技状態の単位遊技において５球、１０球又は１５球の遊技球をベット（１ベット、２ベット又は３ベット）できる場合には１５球を意味し、特別遊技状態中の単位遊技等において５球の遊技球のみをベットできる場合には５球を意味する。
【０１１１】
最小ベット操作部３４０Ａは、前面パネル枠３１０の前面側に突出し遊技者によって操作される単位ベットボタン（入力操作部）３４１Ａと、単位ベットボタン３４１Ａの操作を検出する操作検出器（図示せず）と、単位ベットボタン３４１Ａを所定の基準位置に復帰させる付勢体（図示せず）とを含む単位ベットスイッチ３４１（図４６参照：ベットスイッチの一種）を備えている。同様に、最大ベット操作部３４０Ｃは、前面パネル枠３１０の前面側に突出し遊技者によって操作される最大ベットボタン（入力操作部）３４３Ａと、最大ベットボタン３４３Ａの操作を検出する操作検出器（図示せず）と、最大ベットボタン３４３Ａを所定の基準位置に復帰させる付勢体（図示せず）とを含む最大ベットスイッチ３４３（図４６参照：ベットスイッチの一種）を備えている。遊技者によるベット操作装置３４０の操作に応じて、ベット操作部の種類（最小ベット操作部３４０Ａ又は最大ベット操作部３４０Ｃ）に応じたベット指示が入力される。具体的には、単位ベットボタン３４１Ａ及び最大ベットボタン３４３Ａの押圧操作に応じて、それぞれ、単位ベット指示（ベット指示の一種）及び最大ベット指示（ベット指示の一種）が入力される。単位ベットボタン３４１Ａ及び最大ベットボタン３４３Ａは、遊技者が手を離すと押圧が解除されて、付勢体からの付勢力に基づいて基準位置に自動復帰する。なお、このベット指示の入力に応じて、投入装置３６０がベット指示の種類や遊技状態の種類に応じた所定の個数の遊技球を投入することとなる。
【０１１２】
最大ベット操作部３４０Ｃは、更に、最大ベットボタン３４３Ａに裏面側に設けられた発光素子（図示せず）と発光素子の発光を制御する発光制御回路（図示せず）とを含む最大ベット発光装置３４４（図４６参照）を備えている。最大ベット発光装置３４４は、最大ベットスイッチ３４３が有効に操作できる場合に、遊技者に最大ベットボタン３４３Ａの操作を促すために点灯され、最大ベットスイッチ３４３が有効に操作できない場合には消灯される。最大ベットスイッチ３４３が有効に操作できる場合としては、例えば、遊技ブロック１２３（図９参照）における後述する左回胴８１０Ｌ、中回胴８１０Ｍ及び右回胴８１０Ｒ（図９参照）による図柄表示の変動が行われていない状態において最大規定数の遊技球がベットされていない場合が挙げられ、最大ベットスイッチ３４３が有効に操作できない場合としては、例えば、図柄表示の変動が行われている場合や前回の単位遊技で再遊技役が入賞した場合が挙げられる。
【０１１３】
返却操作機構３５０は、前面パネル枠３１０における上貯留皿３２０の前方側に突出する部分に配設されている。なお、返却操作機構３５０は、球貸出操作装置３９０と共に上貯留皿３２０に取着されて、それらが一体化された上皿ユニットを構成し、上皿ユニットが基枠３００に取着されることによって所定の位置に配設される。返却操作機構３５０は、図１９に示されたように、上貯留皿３２０の下側に配設される収納部材３５１と、収納部材３５１に立設された支軸３５１Ａに軸支された回動自在な操作部材３５２と、収納部材３５１に立設された支軸３５１Ｂに軸支された回動自在な押圧部材３５３と、収納部材３５１を覆う蓋部材３５４と、収納部材３５１と操作部材３５２とを接続し操作部材３５２を所定の基準位置に復帰させる付勢体（図示せず）とを備えている。操作部材３５２は、支軸３５１Ａに軸支された基部３５２Ａと、基部３５２Ａに延設されて前面パネル枠３１０の前面側に突出し遊技者によって操作される返却操作部３５２Ｂと、押圧部材３５３の接続軸部３５３Ｂを摺動自在に把持する把持部３５２Ｃとを含んでいる。押圧部材３５３は、支軸３５１Ｂに軸支された基部３５３Ａと、基部３５３Ａの一方の先端から回転軸方向に突出して操作部材３５２の把持部３５２Ｃに摺動自在に接続される接続軸部３５３Ｂと、基部３５２Ａの他方の先端から回転軸方向に突出して投入装置３６０（図２４参照）の返却シャッタ３６４（図２４参照）を押圧する押圧部３５３Ｃとを含んでいる。
【０１１４】
返却操作部３５２Ｂに遊技者によって回転力が付与されると、操作部材３５２が支軸３５１Ａを中心にして回転し、その回転に連動して押圧部材３５３が支軸３５１Ｂを中心にして回転する。押圧部材３５３の回転に応じて押圧部３５３Ｃが奥方側へ移動し、その移動に基づいて押圧部３５３Ｃが投入装置３６０の返却シャッタ３６４を押圧する。この押圧力によって返却シャッタ３６４が移動して、上貯留皿３２０に貯留されている遊技球が下貯留皿３３０に返却されることとなる。なお、返却シャッタ３６４の移動に伴う返却動作については、投入装置３６０の説明において詳細に説明することとし、ここでの説明は省略する。
【０１１５】
球貸出操作装置３９０は、前面ブロック１２１における上貯留皿３２０の前方側に突出する部分に配設されている。球貸出操作装置３９０は、遊技球の貸し出し可能な状態であるか否か、また貸し出し可能な場合にはその貸し出しの上限を表示する度数表示部３９１と、遊技球の貸し出しを受ける場合に遊技者によって操作される球貸出操作部３９２と、球貸し出し用のカードを返却する場合に遊技者によって操作されるカード返却操作部３９３とを備えている。度数表示部３９１は、球式回胴遊技機１００に隣接して遊技機固定設備（図示せず）に設けられるＣＲユニット（図示せず）に所定のカード（図示せず）を挿入することでそのカードに電気的に記憶されている残額に相当する度数を表示し、遊技球の貸し出しが可能であることと共に貸し出しの上限を報知する。例えば、度数表示部３９１は、カードの残額の１／１００の値を度数として表示する。一方、ＣＲユニットにカードが挿入されていない場合には、度数表示部３９１は、消灯した状態を維持することによって遊技球の貸し出しが可能でないことを報知する。球貸出操作部３９２は、上貯留皿３２０の上面側に突出し遊技者によって操作される球貸出ボタン（入力操作部）３９２Ａと、球貸出ボタン３９２Ａの操作を検出する操作検出器（図示せず）と、球貸出ボタン３９２Ａを所定の基準位置に復帰させる付勢体（図示せず）とを含むボタンスイッチ（図示せず）である。遊技者による球貸出ボタン３９２Ａの球貸出操作に応じて払出制御装置５８０（図３２参照）の払出制御基板５８１（図４６参照）に球貸出指示が入力されて、払出装置５４０から遊技球が貸し出されることとなる。カード返却操作部３９３は、上貯留皿３２０の上面側に突出し遊技者によって操作されるカード返却ボタン（入力操作部）３９３Ａと、球貸出ボタン３９３Ａの操作を検出する操作検出器（図示せず）と、カード返却ボタン３９３Ａを所定の基準位置に復帰させる付勢体（図示せず）とを含むボタンスイッチ（図示せず）である。遊技者によるカード返却操作部３９３の操作に応じてカード返却指示がＣＲユニットに入力され、ＣＲユニットからカードが返却されることとなる。
【０１１６】
投入装置３６０は、上貯留皿３２０及び投入装置３６０に貯留されている遊技球をベット操作装置３４０（図１５参照）の操作に応じて所定数だけ投入したり、返却操作機構３５０の操作に応じて下貯留皿３３０に返却したり、返却操作機構３５０の操作に応じて既に投入（ベット）されている遊技球の払い戻しを指示したりする。図２４は、投入装置の一例を表す斜視図であり、図２５は、投入装置の一例を表す部分分解斜視図である。
【０１１７】
投入装置３６０は、図２４及び図２５に示されたように、上貯留皿３２０の３つの流出通路３２１Ｃ（図１９及び図２２参照）に１つずつ対応した第１条の投入部３６１、第２条の投入部３６２及び第３条の投入部３６３と、第１条の投入部３６１〜第３条の投入部３６３に摺動自在に貫設され、上貯留皿３２０（図１５参照）から下貯留皿３３０（図１５参照）への遊技球の流下を規制する返却シャッタ３６４と、返却シャッタ３６４の一端を覆うカバー部材３６５と、カバー部材３６５の中空突出部３６５Ａの内部に配置され返却シャッタ３６４を所定の基準位置に復帰させる方向に付勢する付勢体３６６（図２５のみ）と、返却シャッタ３６４の基準位置からの移動を検知する返却スイッチ３６７と、主制御装置７５０（図４０参照）の主制御基板７５１（図４６参照）と投入装置３６０との間の電気信号の伝達や電力の供給を中継する投入系信号中継装置３６８と、投入系信号中継装置３６８を被覆するカバー部材３６９とを備えている。投入装置３６０は、投入すべき遊技球を第１条の投入部３６１〜第３条の投入部３６３の３つの投入系統で協同して投入する。
【０１１８】
第１条の投入部３６１〜第３条の投入部３６３の各々は、図２５に示されたように、第１ケーシング部材４１１と第２ケーシング部材４１２とで構成されるケーシングを備えている。第１条の投入部３６１及び第２条の投入部３６２の第１ケーシング部材４１１が、それぞれ、第２条の投入部３６２及び第３条の投入部３６３の第２ケーシング部材４１２に取り付けられることによって、第１条の投入部３６１、第２条の投入部３６２及び第３条の投入部３６３は、一体的に連接されている。第１条の投入部３６１、第２条の投入部３６２及び第３条の投入部３６３の各々のケーシングには、遊技球の通り道となる球通路４２０や各種の部材が配置される空間が形成される。球通路４２０は、投入装置３６０の上面側において上貯留皿３２０から流出してきた遊技球が載置される緩やかに傾斜した樋状の待機通路４２１と、待機通路４２１の下流側において待機通路４２１に対して屈曲して下方側（略鉛直方向）に延びる投入通路４２２と、待機通路４２１の下流側において斜め下方側に延びて払出通路を越えた後に屈曲して下方側に延びる返却通路４２３とで構成されている。第１条の投入部３６１〜第３条の投入部３６３の各々は、第１ケーシング部材４１１と第２ケーシング部材４１２とが組み付けられたケーシングに配設され、待機通路４２１から投入通路４２２への遊技球の流下を禁止する投入禁止状態とその流下を許容する投入許容状態との間で状態移行自在な投入フリッカ４４０と、ケーシングに配設され、投入フリッカ４４０による投入規制状態を変更する投入ソレノイド４３０と、ケーシングに配設され、投入通路４２２へ流入した遊技球を検出する通過センサ４５０と、ケーシングに配設され、通過センサ４５０より下流側において投入通路４２２を流下する遊技球を検出するカウントセンサ４６０とを備えている。
【０１１９】
返却シャッタ３６４は、図２５に示されたように、第１条の投入部３６１〜第３条の投入部３６３にわたって摺動自在に挿通され（図２４も参照）、第１条の投入部３６１〜第３条の投入部３６３の各々における待機通路４２１から返却通路４２２への遊技球の流下を一斉に禁止する返却禁止状態とその流下を一斉に許容する返却許容状態との間で状態移行自在である。返却シャッタ３６４には、第１条の投入部３６１〜第３条の投入部３６３における３つの球通路４２０に１つずつ対応付けられた３つの返却遮断壁３６４Ａと、３つの球通路４２０に１つずつ対応付けられた３つの返却窓孔３６４Ｂと、３つの返却窓孔４６４Ａの各々の下部において待機通路４２１側へ延在し、待機通路４２１から各窓孔３６４Ｂに遊技球を案内する３つの誘導片３６４Ｃと、第３条の投入部３６３より外方向に突出し、返却操作機構３５０の押圧部材３５３に当接する被押圧部３６４Ｄと、付勢体３６６に当接する被付勢部３６４Ｅと、返却スイッチ３６７を作動させる作動片３６４Ｆとが形成されている。第１条の投入部３６１〜第３条の投入部３６３の各々において、返却シャッタ３６４が返却禁止状態である場合には、返却遮断壁３６４Ａの少なくとも一部が球通路４２０の内側に配置されて待機通路４２１から返却通路４２３への遊技球の流入を禁止している。一方、返却シャッタ３６４が返却許容状態である場合には、返却遮断壁３６４Ａが球通路４２０の外側に配置されると共に返却窓孔３６４Ｂ及び誘導片３６４Ｃが球通路４２０の内側に配置されて待機通路４２１から返却通路４２３への遊技球の流入を許容する。なお、返却シャッタ３６４は、返却許容状態において付勢体３６６から付勢力を受けており、返却操作機構３５０の操作解除に応じて返却禁止状態へ自動的に復帰する。
【０１２０】
返却スイッチ３６７は、図２５に示されたように、返却シャッタ３６４の移動を検出し、返却シャッタ３６４の移動の検出状態に基づいて検出状態に応じた信号を、投入系信号中継装置３６８を介して主制御装置７５０（図４１参照）の主制御基板７５１（図４６参照）に出力する。主制御基板７５１は、返却スイッチ３６７からの信号に基づいて、ベット操作装置３４０（図１５参照）の操作の受付を不能にし、投入動作中である場合にはその投入動作を中断する。更に、既に投入済の遊技球が存在する場合には、主制御基板７５１は払出制御装置５８０（図３２参照）の払出制御基板５８１（図４６参照）に返却指示を出力し、払出制御装置５８１は返却指示に応じて投入済の遊技球と同数の遊技球を払出装置５４０（図３２参照）から返却させる。
【０１２１】
第１条の投入部３６１〜第３条の投入部３６３について詳細に説明する。なお、第１条の投入部３６１〜第３条の投入部の構成は実質的に同一であるために、第１条の投入部３６１について説明し、第２条の投入部３６２及び第３条の投入部３６３についての詳細な説明を省略する。なお、第１条の投入部３６１〜第３条の投入部３６３の内部構造について互いの投入部を特に識別する必要がある場合には第１条、第２条及び第３条との接頭辞を付加して識別することとする。図２６は、投入装置の一例を背面側から見た横断面図である。図２６には、説明の便宜のために返却操作機構３５０も示されている。図２７及び図２８は、投入装置の一例を表す縦断面図であり、図２７が投入動作をしていない場合を表し、図２８が投入動作をしている場合を表している。
【０１２２】
投入ソレノイド４３０は、図２７に示されたように、固定筒（図示せず）及び固定筒の周縁に固定筒を中心にして配置された励磁コイル（図示せず）を含むソレノイド本体４３１と、ソレノイド本体４３１の固定筒に摺動自在に挿入されたプランジャ（可動磁性芯）４３２と、プランジャ４３２をソレノイド本体４３１から離隔させる方向に付勢する付勢体４３３（例えば、コイルバネ）と、プランジャ４３２の先端部に取着され、投入フリッカ４４０に接続される動力伝達部材４３４とを備えている。プランジャ４３２は、ソレノイド本体４３０の励磁コイルに電流が印加されると磁気吸着によってコイルバネ４３３からの付勢力に抗してソレノイド本体４３１に近接するように移動し、励磁コイルの電流が遮断されると付勢体４３３からの付勢力に基づいてソレノイド本体４３１から離隔するように反対側に移動する。このとき、動力伝達部材４３４もプランジャ４３２の動きに追従して移動する。
【０１２３】
投入フリッカ４４０は、第１ケーシング部材４１１及び第２ケーシング部材４１２によって固定される支軸４４１と、支軸４４３に回動自在に軸支され、投入ソレノイド４３０の動力伝達部材４３４に接続される基端部材４４２と第１ケーシング部材４１１及び第２ケーシング部材４１２によって固定される支軸４４３と、支軸４４１に回動自在に軸支された先端部材４４４とを備えている。基端部材４４２の一端に形成されている二股上に突出する把持部４４２Ａによって投入ソレノイド４３０の動力伝達部材４３４に形成されている舌片４３４Ａが把持されており、基端部材４４２は、プランジャ４３２の移動に連動して支軸４４１を中心にして回動する。また、基端部材４４４において把持部４４２Ａの形成側と異なる一端に形成されている可動連結軸（図示せず）が先端部材４４４の一端に形成された軸受孔（図示せず）に遊挿されており、先端部材４４４は、基端部材４４２の回動に連動して支軸４４３を中心にして回動する。
【０１２４】
第１条の投入部３６１における投入動作について説明する。第１条の投入部３６１が投入動作をしていない場合には、図２７に示されたように、投入ソレノイド４３０は、励磁コイルが励磁されておらずプランジャ４３２がソレノイド本体４３１から離隔する所定の非作動位置に配置されている非作動状態であり、また、投入フリッカ４４０は、先端部材４４４において軸受孔の形成側と異なる一端に形成された尖塔形状の規制部４４４Ｂの一部が球通路４２０の内側に配置され、待機通路４２１から投入通路４２２への流入が禁止されている投入禁止状態である。なお、投入フリッカ４４０は、主制御装置７５０（図４０参照）の主制御基板７５１（図４６参照）からの投入制御信号のオン状態への移行に基づいて励磁コイルに電流が印加されて投入ソレノイド４３０が作動すると、励磁コイルの励磁に応じて、付勢体４３３からの付勢力に抗してプランジャ４３２が上方（ソレノイド本体４３１側）へ並進移動する。このプランジャ４３２の移動に基づいて動力伝達部材４３４も上方へ並進移動し、動力伝達部材４３４に接続された基端部材４４２が支軸４４１を中心に回転（図中においては反時計回りに回転）し、また、基端部材４４２の回転に基づいて先端部材４４４が支軸４４３を中心に基端部材４４２と反対方向に回転（図中においては時計回りに回転）する。これによって、先端部材４４４の回転に応じて規制部４４４Ｂが球通路４２０から抜脱される方向に移動する。プランジャ４３２の並進移動が完了して所定の作動位置に配置されると、図２８に示されたように、投入フリッカ４４０は、先端部材４４４の規制部４４４Ｂが球通路４２０の外側に配置され、待機通路４２１から投入通路４２２への流入が許容されている流入許容状態となる。なお、プランジャ４３２は流入許容状態において付勢体４３３から非作動位置に復帰させる方向の付勢力を受けている。流入許容状態においては、待機通路４２１に配置されていた遊技球が自重によって順次に投入通路４２２に流入する。
【０１２５】
逆に、主制御基板７５１からの投入制御信号のオフ状態への移行に基づいて励磁コイルへの電流が遮断されて投入ソレノイド４３０の作動が停止すると、励磁コイルが消磁されて、付勢体４３３からの付勢力によってプランジャ４３２が下方へ並進移動する。このプランジャ４３２の移動に基づいて動力伝達部材４３４が下方へ並進移動し、基端部材４４２が支軸４４１を中心に回転（図中においては時計回りに回転）し、また、基端部材４４２の回転に基づいて先端部材４４４が支軸４４３を中心に基端部材４４２と反対方向に回転（図中においては反時計回りに回転）する。これによって、先端部材４４４の回転に応じて規制部４４４Ｂが球通路４２０に挿入される方向に移動する。プランジャ４３２の並進移動が完了して所定の非作動位置に配置されると、図２７に示されたように、投入フリッカ４４０は、先端部材４４４の規制部４４４Ｂが球通路４２０の外側に配置された流入禁止状態となる。
【０１２６】
通過センサ４５０は、投入通路３２２において投入フリッカ４４０の先端部４４４Ｂのすぐ下流側に配置され、投入通路３２２に流入した遊技球を検出する。通過センサ４５０は、投入フリッカ４４０の先端部材４４２の一部を取り囲む横断面略コ字形状であり、上流側センサ４５１と上流側センサ４５１よりも下流側に配設された下流側センサ４５２とを備えている。上流側センサ４５１と下流側センサ４５２とは、遊技球１個分の直径よりも短い所定の間隔を隔てて設けられている。上流側センサ４５１及び下流側センサ４５２の各々は、投入フリッカ４４０よりも前面側又は背面側のいずれか一方側に配設された発光素子（図示せず）と他方側に配設された受光素子（図示せず）とを含んでおり、受光素子における発光素子からの検査光の受光状態の変化で遊技球を検出する。上流側センサ４５１及び下流側センサ４５２は、遊技球の検出状態に基づいて検出状態に応じた信号を、投入系信号中継装置３６８を介して主制御基板７５１に出力する。
【０１２７】
上流側センサ４５１及び下流側センサ４５２の双方が遊技球を検出していない状態から、上流側センサ４５１のみが遊技球を検出している状態、上流側センサ４５１及び下流側センサ４５２が同時に遊技球を検出している状態、下流側センサ４５２のみが遊技球を検知している状態をこの順序経て上流側センサ４５１及び下流側センサ４５２の双方が遊技球を検出していない状態に戻る場合であって、それらの状態移行が所定の通過許容時間内に行われたときは、主制御基板７５１において、上流側センサ４５１及び下流側センサ４５２から出力される信号の変化パターンに基づいて１球の遊技球が正常に投入されたと判定される。また、通過センサ４５０による遊技球の検出に基づいて、主制御装置７５０の主制御基板７５１において投入動作を停止させるための投入ソレノイド４３０の制御が実行される。具体的には、通過センサ４５０による遊技球の検出に基づいて、正常に投入された遊技球の個数が第１条の投入部３６１で投入すべき個数よりも１つ少ない状態において上流側センサ４５１が遊技球を検出した場合に、投入ソレノイド４３０の作動が停止され、投入フリッカ４４０が投入禁止状態に移行する。なお、下流側センサ４５２のみが遊技球を検知した状態から上流側センサ４５１及び下流側センサ４５２の双方が同時に遊技球を検知している状態に変化した場合等のように遊技球が正常には投入されなかったと判定された場合には、投入エラーの発生を報知装置群及び音響装置群が報知すると共に遊技進行が停止される。これによって、不正具を用いてあたかも遊技球が投入されたかのようにする不正行為によって遊技が行われることを抑制できる。
【０１２８】
カウントセンサ４６０は、第１条の投入部３６１〜第３条の投入部３６３によって投入された遊技球の個数を通過センサ４５０とは別個に検出し、遊技球の検出状態に基づいて検出状態に応じた信号を、投入系信号中継装置３６８を介して主制御装置７５０の主制御基板７５１に出力する。カウントセンサ４６０における遊技球の検出に基づいて計数された投入済個数が通過センサ４５０における遊技球の検出に基づいて正常な投入と判定された遊技球の個数未満である場合には、投入数エラーと判断されることとなり、投入数エラーの発生を報知装置群及び音響装置群が報知すると共に遊技進行が停止される。これにより不正具を用いてあたかも遊技球が投入されたかのようにする不正行為によって遊技が行われることを更に良好に抑制できる。また、カウントセンサ４６０は、通過センサ４５０とは異なる作用によって遊技球の通過を検出する。具体的には、通過センサ４５０は光学センサであるが、カウントセンサ４６０は磁気センサである。これによって、カウントセンサ４６０を通過したものが鉄材料であるか否かも判定できることとなり、正規の鉄製の遊技球と異なる安価な樹脂製の遊技球等を投入する不正行為によって遊技が行われることも抑制できる。
【０１２９】
ここで、返却操作機構３５０の操作に基づく投入装置３６０の返却動作について説明する。図２９及び図３０は、それぞれ、投入装置の一例を返却状態によって表す横断面図及び縦断面図である。返却操作機構３５０が操作されていない場合には、図２６及び図２７に示されたように、返却シャッタ３６４は基準位置にあり、第１条の投入部３６１〜第３条の投入部３６３（図２６においては第１条の投入部３６１のみ図示）において、返却シャッタ３６４の返却遮断壁部３６４Ａの一部が球通路４２０の内側に突出し、第１条の投入部３６１〜第３の投入部３６３の全てにおいて待機通路４２１から返却通路４２３への遊技球の流入が禁止されている。返却操作機構３５０の操作部材３５２における返却操作部３５２Ｂが返却操作（図中において時計回りの回転操作）されると、付勢体３５４からの付勢力に抗して操作部材３５２が支軸３５１Ａを中心にして回転（図中において時計回りの回転）し、操作部材３５２の回転に基づいて押圧部材３５３が操作部材３５２と反対方向に回転（図中において反時計回りの回転）する。押圧部材３５３の回転に応じて押圧部３５３Ｃが返却シャッタ３６４の被押圧部３６４Ｄを押圧し、返却シャッタ３６４が所定の基準位置から並進移動（図中において下方移動）する。この返却シャッタ３６４の移動に応じて、第１条の投入部３６１〜第３条の投入部３６３において、返却シャッタ３６４の返却遮断壁３６４Ａが球通路４２０の外側に移動すると共に返却窓孔３６４Ｂ及び誘導片３６４Ｃが球通路４２０の内側に移動する。これによって、図３０に示されたように、返却遮断壁３６４Ａが球通路４２０の外側に配置されると共に返却窓孔３６４Ｂ及び誘導片３６４Ｃが球通路４２０の内側に配置されて、待機通路４２１から返却通路４２３への遊技球の流入が許容され、待機通路４２１及び上貯留皿３２０（図１５及び図２０参照）に貯留されている遊技球が返却通路４２３を経て下貯留皿３３０（図１５参照）へ移動する。なお、返却スイッチ３６７は、返却シャッタ３６４が基準位置から移動を開始した直後に、その移動を検出する。この返却許可状態において返却操作部３５２Ａから手を離すと、操作部材３５２及び押圧部材３５３は付勢体からの付勢力に基づいて、また、返却シャッタ３６４は付勢体３６７の付勢力に基づいて、図２９に示された状態に戻る。
【０１３０】
単位遊技開始操作装置３７０は、図１５に示されたように、前面パネル枠３１０における上貯留皿３２０の前方側に突出する部分に取着されている。単位遊技開始操作装置３７０は、前面パネル枠３１０の前面側に突出し遊技者によって操作されるスタートレバー（入力操作部）３７１Ａと、スタートレバー３７１Ａの操作を検出する操作検出器（図示せず）と、スタートレバー３７１Ａを所定の基準位置に復帰させる付勢体（図示せず）とを含むスタートスイッチ３７１を備えている。遊技者による単位遊技開始操作装置３７０の単位遊技開始操作、具体的にはスタートレバー３７１Ａの押圧操作に応じて、主制御装置７５０（図４０参照）の主制御基板７５１（図４６参照）に単位遊技開始指示が入力される。スタートレバー３７１Ａは、遊技者が手を離すと押圧が解除されて、付勢体からの付勢力に基づいて基準位置に自動的に復帰する。この単位遊技開始指示の入力に応じて、各種の役から当選役（ハズレ役を含む）が決定され、左回胴８１０Ｌ、中回胴８１０Ｍ及び右回胴８１０Ｒ（図９参照）による図柄表示の変動が開始されることとなる。
【０１３１】
単位遊技開始操作装置３７０は、更に、スタートスイッチ３７１が有効に操作できることを報知する発光装置３７２（図４６参照）を備えており、発光装置３７２は、スタートスイッチ３７１が有効に操作できる場合に点灯し、一方、スタートスイッチ３７１が有効に操作できない場合には消灯する。なお、スタートスイッチ３７１が有効に操作できる場合として、例えば、図柄表示の変動が行われておらず、少なくとも最小規定数以上の遊技球がベットされた場合が挙げられる。ここで、最小規定数とは、単位遊技においてベットできる遊技球の最小数を意味し、通常遊技状態の単位遊技において５球、１０球又は１５球の遊技球をベット（１ベット、２ベット又は３ベット）できる場合には５球を意味し、特別遊技状態中の単位遊技等において５球の遊技球のみをベットできる場合には５球を意味する。なお、単位遊技においてベットできる個数に選択の幅がない場合には、最小規定数と最大規定数とは同一の値となる。
【０１３２】
図柄変動停止操作装置３８０は、前面ブロック１２１における上貯留皿３２０の前方側に突出する部分に配設されている。図柄変動停止操作装置３８０は、左回胴８１０Ｌの回転を停止させるために左回胴停止指示を入力する左回胴停止操作部３８０Ｌと、中回胴８１０Ｍ（図９参照）の回転を停止させるために中回胴停止指示を入力する中回胴停止操作部３８０Ｍと、右回胴８１０Ｒの回転を停止させるために右回胴停止指示を入力する右回胴停止操作部３８０Ｒとを備えている。左回胴停止操作部３８０Ｌは、上貯留皿３２０の前面側に突出し遊技者によって操作される左回胴停止ボタン（入力操作部）３８１Ｌと、左回胴停止ボタン３８１Ｌの操作を検出する操作検出器（図示せず）と、左回胴停止ボタン３８１Ｌを所定の基準位置に復帰させる付勢体（図示せず）とを含む左回胴停止スイッチ３８４Ｌ（図４６参照：回胴停止スイッチの一種）を備えている。左回胴停止操作部３８０Ｌは、更に、左回胴停止スイッチ３８１Ｌが有効に操作できることを報知する発光装置３８５Ｌ（図４６参照）を備えている。発光装置３８５Ｌは、左回胴停止スイッチ３８４Ｌが有効に操作できる場合に点灯しており、左回胴停止スイッチ３８４Ｌが有効に操作できる場合に消灯している。左回胴停止スイッチ３８４Ｌが有効に操作できる場合としては、前回の単位遊技から所定の時間が経過し、左回胴８１０Ｌが定常回転している場合が挙げられる。なお、中回胴停止操作部３８０Ｍや右回胴停止操作部３８０Ｒが操作中である場合はこの限りではない。左回胴停止操作部３８０Ｌの場合と同様に、中回胴停止操作部３８０Ｍは、中回胴停止ボタン３８１Ｍ、操作検出器（図示せず）及び付勢体（図示せず）とを含む中回胴停止スイッチ３８４Ｍ（図４６参照：回胴停止スイッチの一種）と発光装置３８５Ｍ（図４６参照）とを備え、右回胴停止操作部３８０Ｒは、右回胴停止ボタン３８１Ｒ、操作検出器（図示せず）及び付勢体（図示せず）とを含む右回胴停止スイッチ３８４Ｒ（図４６参照：回胴停止スイッチの一種）と発光装置３８５Ｒ（図４６参照）とを備えている。
【０１３３】
遊技者による左回胴停止スイッチ３８４Ｌへの停止入力操作、具体的には、左回胴停止ボタン３８１Ｌの押圧操作に応じて、左回胴８１０Ｌの回転が停止することとなる。なお、遊技者が左回胴停止ボタン３８１Ｌから手を離す等によって押圧操作が解除されると、左回胴停止ボタン３８１Ｌは自動的に所定の基準位置に復帰して、次回の押圧操作を受け付ける状態となる。同様に、中回胴停止スイッチ３８４Ｍ及び右回胴停止スイッチ３８４Ｒへの停止入力操作への停止入力操作に応じて、それぞれ、中回胴８１０Ｍ及び右回胴８１０Ｒの回転が停止することとなる。したがって、左回胴停止スイッチ３８４Ｌ、中回胴停止スイッチ３８４Ｍ又は右回胴停止スイッチ３８４Ｒが操作されるごとに左回胴８１０Ｌ、中回胴８１０Ｍ及び右回胴８１０Ｒによる図柄表示の変動が部分的に停止され、左回胴停止スイッチ３８４Ｌ、中回胴停止スイッチ３８４Ｍ及び右回胴停止スイッチ３８４Ｒの全てが操作された場合にその図柄表示の変動が完全に停止する。
【０１３４】
音響装置群を構成する下音響装置３１１、右上音響装置３１２及び左上音響装置３１３の各々は、エラー報知や遊技進行に伴う演出等において単純機械音や音声や音楽を出力する。下音響装置３１１は、図１７及び図１８に示されたように、基枠３００に取着されたスピーカ３１１Ａと、前面パネル枠３１０に形成され多数の音響出力口が形成され、スピーカの前面を覆うスピーカカバー部３１１Ａとを備えている。右上音響装置３１２及び左上音響装置３１３の各々は、前面パネル枠３１０に固着されたスピーカ３１２Ａ，３１３Ａ（図１８のみ）とスピーカカバー部３１２Ｂ，３１３Ｂ（図１７のみ）とを備えている。
【０１３５】
枠発光装置群を構成する上発光装置３１４、右発光装置３１５及び左発光装置３１６の各々は、図１７及び図１８に示されたように、前面パネル枠３１０に固着された発光ダイオード（ＬＥＤ）等の発光素子（図示せず）が搭載された回路基板３１４Ａ，３１５Ａ，３１６Ａ（図１８のみ）と、前面パネル枠３１０に固着された発光素子カバー３１４Ｂ，３１５Ｂ，３１６Ｂとを備えている。上発光装置３１４、右発光装置３１５及び左発光装置３１６の各々は、エラー報知や遊技進行に伴う演出等において、点灯したり、消灯したり、点滅したりする。
【０１３６】
（払出ブロックの構成）
払出ブロック１２２について説明する。図３１及び図３２は、払出ブロックの一例を表す前面側及び背面側の斜視図であり、図３３は、払出ブロックの一例を表す部分分解斜視図である。また、図３４及び図３５は、払出ブロックの一例を表す正面図及び背面図である。なお、図３５においては、一部の部材を取り除いた状態が示されている。
【０１３７】
払出ブロック１２２は、図３１〜図３４に示されたように、払出ブロック１２２に配置される各種の装置等を固定する基体になる払出ブロック基体５００と、払出ブロック基体５００に取着され、遊技機固定設備（図示せず）から供給される遊技球を貯留する遊技球タンク５１０と、遊技球タンク５１０の下流側において払出ブロック基体５００に取着され、積層貯留されている遊技球を４条に整流させると共に１段に整列させるタンクレール５２０と、タンクレール５２０の下流側において払出ブロック基体５００に取着され、タンクレール５２０から流入した遊技球を誘導するケースレール５３０と、ケースレール５３０の下流側において払出ブロック基体５００に取着され、遊技進行に伴う入賞に基づく遊技球の払い出しや球貸出要求に基づいて遊技球の貸し出しを実行する払出装置５４０と、払出装置５４０の下流側において払出ブロック基体５００に取着され、払出装置５４０から流出した遊技球を払出ブロック基体５００に形成された所定の各種の誘導通路に誘導する誘導部材５５０と、払出ブロック基体５００に取着され、遊技機の内部電源を制御する電源制御装置５７０と、電源制御装置５７０に積層され、遊技球の払出動作を制御する払出制御装置５８０と、球式回胴遊技機１００をＣＲユニット（図示せず）に接続するためのＣＲユニット接続装置５９０とを備えている。なお、上述のように、払出ブロック１２２の一部としての払出ブロック基体５００には、払出ブロック１２２（図９及び図１０参照）を前面ブロック１２１（図９及び図１０参照）に対して回動自在に支持固定する一対のブロック支持機構１２４（図９及び図１０参照）の図３２に示された払出ブロック側支持部材２１２と、払出ブロック１２２（図９及び図１０参照）を前面ブロック１２１（図９及び図１０参照）に対して施錠する払出ブロック施錠機構１２５の図３１に示された一対の払出ブロック側施錠部材２３１と、払出ブロック１２２に対して遊技ブロック１２３を固定すると一対の遊技ブロック固定機構１２６（図１０参照）の図３１に示された払出ブロック側固定部材２４１と、払出ブロック１２２から前面ブロック１２１への遊技球の移動を規制するブロック間遊技球移動規制機構１２７（図１０参照）の図３４に示された上皿側球止め機構２５１及び下皿側球止め機構２５２と、前面ブロック１２１に対する払出ブロック１２２の自動開放を制限する自動開放制限機構１２８（図９及び図１０参照）の図３１に示された係合丘部２７１及び陥没部２７２とが設けられている。
【０１３８】
払出ブロック基体５００には、その中央に背面側へ張り出して遊技ブロック１２３（図４０及び図４１参照）を被包する保護カバー部５０１が形成され、保護カバー部５０１の上部及び一側部を取り囲むように、遊技球タンク５１０、タンクレール５２０、ケースレール５３０、払出装置５４０、ＣＲユニット接続装置５９０、払出制御装置５６０及び電源制御装置５５０が配設されている。また、払出ブロック基体５００には、図３５に示されたように、払出装置５４０から流出した遊技球を上貯留皿３２０（図１５参照）へ案内する上皿誘導通路５０２と、払出装置５４０から遊技球を下貯留皿３３０（図１５参照）へ案内する下皿誘導通路５０３と、遊技球を球式回胴遊技機１００の外部へ排出する排出通路５０４が形成されている。上皿誘導通路５０２の流入口５０２Ａから流入した遊技球は、上皿用流出口５０２Ｂ（図３４参照）から流出して上貯留皿３２０の流入口３２０Ａ（図１６参照）に流入する。また、下皿誘導通路５０３の流入口５０３Ａから流入した遊技球は、下皿用流出口５０３Ｂ（図３４参照）から流出して下貯留皿３３０の流入口３３１Ａ（図１６参照）に流入する。
【０１３９】
下皿誘導通路５０３には、球溢れ検出スイッチ５０９が設けられている。図３６は、球溢れ検出スイッチの近傍の一例を表す背面図であって、図３６（Ａ）が正常状態を表し、図３６（Ｂ）が球溢れ状態を表している。球溢れ検出スイッチ５０９は、図３６（Ａ）及び図３６（Ｂ）に示されたように、作動部５０９Ａと作動検出部５０９Ｂとを備えている。図３６（Ａ）に示された正常状態から下貯留皿３３０へ遊技球が流入して下貯留皿３３０（図１５参照）が満杯となり、下皿誘導通路５０３における遊技球の貯留数が増加すると作動部５０９Ａが作動検出部５０９Ｂの方向に押圧される。この押圧が所定の圧力を超えると、図３６（Ｂ）に示されたように、作動検出部５０９Ｂが作動部５０９Ａの移動を検出し、球溢れ検出スイッチ５０９がオン状態となる。そのオン状態が所定の時間にわたり継続した場合には球溢れエラーと判断され、払出装置５４０（図３２参照）による払い出しの実行が一時中止されることとなる。一方、下貯留皿３３０の操作レバー３３３（図１５参照）が操作されて下貯留皿３３０に貯留されている遊技球が減少すると、作動部５０９Ａへの押圧力が低下し、その押圧力が所定の圧力を下回ると球溢れ検出スイッチ５０９がオフ状態となる。そのオフ状態が所定の時間にわたり継続した場合には球溢れエラーが解除され、払出装置５４０（図３２参照）による払い出しの実行が再開されることとなる。
【０１４０】
遊技球タンク５１０は、図３１〜図３４に示されたように、上方に開口した横長の箱型容器であり、その長手方向の一端から遊技機固定設備の球循環装置から供給される遊技球が逐次補給される。遊技球タンク５１０における遊技球の供給される側と異なる長手方向の一端の底面には開口５１０Ａが形成されている。遊技球タンク５１０の底面は長手方向に緩やかに傾斜し、遊技球タンク５１０に供給された遊技球は開口５１０Ａ側に自重によって移動する。また、長手方向と直交する方向（前後方向）に対して更に穏やかに傾斜し、前方側（払出ブロック基体５００への取り付け面側）に優位に遊技球を誘導する。球循環装置（図示せず）は、遊技球を遊技球タンク５１０の前方側の端部近傍における上方から供給し、遊技球タンク５１０が満杯になると自動的に停止する構成であることが一般的であるために、遊技球タンク５１０において遊技球を前方側に優位に誘導することによって、前後方向に傾斜を持たせない場合と比較的して遊技球タンク５１０に多少の余裕がある状態で球循環装置からの遊技球の供給が停止させることができ、後述するタンクレール５２０における遊技球の整流整列における球詰まりの発生が抑制される。また、遊技球タンク５１０には、球循環装置から遊技球の供給される一端から中央近傍にかけて少なくとも底部を覆う帯電防止板５１１が取着されており、帯電防止板５１１は接地電位に接続されている。球循環装置から供給される遊技球は、遊技球の磨きやその搬送過程において静電気を帯び易く、また、一般的な球式回胴遊技機においては、遊技球の循環サイクルが弾球遊技機に比べて早いために静電気が蓄積され易いが、帯電防止板５１１を設けた場合には、帯電した遊技球が供給されたとしても最前段で静電気を除去できる。これによって、球式回胴遊技機１００に静電気が蓄積されて、その蓄積された静電気が遊技者に放出されたり、その静電気によって各種の制御装置が誤作動したりすることを防止できる。
【０１４１】
タンクレール５２０は、図３２、図３３及び図３５に示されたように、遊技球タンク５１０の下方に取り付けられ、タンクレール５２０には遊技球タンク５１０の開口５１０Ａを通して遊技球が流入する。タンクレール５２０は、仕切り片（図示せず）によって仕切られた４列（４条）の樋状通路（図示せず）を形成する桶状部材５２１と、桶状部材５１１に軸止された固定軸５２２と、固定軸５１２に回動自在に軸支され球詰まりを防止させながら４条に整流させると共に１段に整列させる一対の整流部材５２３と、整列した遊技球を誘導する誘導部材５２４と、タンクレール５２０からケースレール５３０への遊技球の流下を規制する流下規制機構５２５とを備えている。各樋状通路は、下流側に向けて緩やかに傾斜しており、遊技球タンク５１０から流入した側と長手方向の反対側へ遊技球を誘導する。整流部材５２３は固定軸５２２を中心軸として遊技球との接触によって振り子のように動作する。誘導部材５２４には４条の流出口（図示せず）形成されており、その流出口から遊技球が流出することを流下規制機構５２５の操作部５２５Ａの操作によって禁止したり許容したりできる。
【０１４２】
ケースレール５３０は、保護カバー部５０１の一側面部に沿うように縦向きに配置されており、タンクレール５２０から遊技球が流入する。ケースレール５３０には、遊技球が勢いよく流れないように波状のうねりをもって前後左右に湾曲する４条の球通路５３０Ａ（図３５参照）が形成されている。また、球通路５３０Ａの上流側には、球切れ検出スイッチ５３１が取着されている。球切れ検出スイッチ５３１は、ケースレール５３０の内部に遊技球が十分にないこと、つまりケースレール５３０よりも上流側で球詰りが発生してケースレール５３０に遊技球が補給されていない場合や次回の払出において最大個数の払出が完了できない場合を検出する。ここで、球切れ検出スイッチ５３１について詳細に説明する。図３７（Ａ）及び図３７（Ｂ）は、球切れ検出スイッチの近傍の一例を表す縦断面図であって、図３７（Ａ）が球有り状態を表し、図３７（Ｂ）が球無し状態を表している。
【０１４３】
球切れ検出スイッチ５３１は、図３７（Ａ）に示されたように、ケースレールに軸止された支軸５３２と、支軸５３２に回動自在に軸支された作動片５３３と、作動片５３３の作動を検出する検出部５３４とで構成される。作動片５３３には、支軸５３２から半径方向下方に延びてケースレール５３０内の球通路５３０Ａを閉鎖可能な板状の揺動部５３３Ａと、支軸５３２よりも上方でかつ支軸５３２よりも一方側に偏った偏心部５３３Ｂと、偏心部５３３Ｂから一方側に突出し検出部５３４を感応させる感応部５３３Ｃが形成されている。検出部５３４は、作動片５３３の一方側に設置され、作動片５３３の回転に応じた感応部５３３Ｃの移動を検出する。
【０１４４】
図３７（Ａ）に示されたようにケースレール５３０内に十分に遊技球が補給されている場合は、揺動部５３３Ａが遊技球によって押されてほぼ鉛直下向きになり、球通路５３０Ａの側壁となる。この場合には、感応部５３３Ｃが検出部５３４から離間しており、検出部５３４によって感応部５３３Ｃは検出されない。一方、ケースレール５３０の上流側で球詰りが発生している場合等、ケースレール５３０に遊技球が補給されない場合には、図３７（Ｂ）に示されたように、ケースレール５３０内の遊技球が不足する。この場合、偏心部５３３Ｂと感応部５３３Ｃの自重で作動片５３３が回転し、揺動部５３３Ａにて球通路５３０Ａが閉鎖される。このとき、感応部５３３Ｃが検出部５３４にて検出される。この球切れ検出スイッチ５３０の検出結果に基づき、所定の時間にわたり球無し状態が継続したと判断された場合には球切れエラーが発光装置群によって報知される。一方、ケースレール５３０の上流側での球詰りが解消されると、遊技球がケースレール５３０に流れ込み揺動部５３３Ａが押圧されて、検出部５３４によって感応部５３３Ｃが検出されない正常な状態に戻る。この球切れ検出スイッチ５３０の検出結果に基づき、所定の時間にわたり球有り状態が継続したと判断された場合には球切れエラーの報知が停止される。
【０１４５】
払出装置５４０は、図３２、図３３及び図３５に示されたように、所定の入賞条件を満たすこと又はＣＲユニット（図示せず）にカード（図示せず）を挿入した状態で球貸出ボタン（図８参照）を押すことで、遊技球の貸し出しを実行する。本実施形態では、一般的な弾球遊技機の最大の獲得球数が１５球であるのに対し、球式回胴遊技機１００の最大の獲得球数は７５球であり、弾球遊技機に比べて球式回胴遊技機１００の最大の獲得球数が多いという観点から、弾球遊技機よりも多数条で協同して払出しを実行し、払出球や貸出球の払い出しを迅速に行えるようにしている。つまり、弾球遊技機は２つの払出系統（２条）の払出装置を１つ備えていれば遊技を迅速に進行できたが、球式回胴遊技機１００の場合は獲得球数が多くかつ賞球が全て払い出されなければ次の単位遊技を開始できないという制約があるので、遊技を遅滞なく進行できるように、本実施形態では、４つの払出系統（４条）で協同して払い出しを行うことによって払出球の払い出しの迅速化を図っている。
【０１４６】
払出装置５４０は、図３３に示されたように、第１払出装置５４１と、第２払出装置５４２と、第１払出装置５４１の背面側を覆うカバー５４３とを備えている。第１払出装置５４１及び第２払出装置５４２の各々は、２つの払出系統で払い出しを実行する。ここで、第１払出装置５４１及び第２払出装置５４２について説明する。なお、第１払出装置５４１及び第２払出装置５４２とは同一の構成であるために、以下においては、第１払出装置５４１についてのみ詳細に説明する。図３８は、第１払出装置の構成の一例を表す部分分解図である。第１払出装置５４１は、第１ケーシング６１１と第２ケーシング６１２とカバー６１３とで構成される筐体を備え、第１ケーシング６１１がカバー６１３で被覆されること及び第２ケーシング６１２が第１ケーシング６１１で被覆されることによって、それぞれ、第１払出系統及び第２払出系統に遊技球の通過する球通路６２０が形成される。なお、第１ケーシング６１１は、第２ケーシング６１２に対してカバー６１３と同様の役割も担っている。球通路６２０は、ケースレール５３０の球通路５３０Ａに連通する流入口近傍において曲折した待機通路６２１と、待機通路６２１より下流側の略直線な払出通路６２２と、払出通路６２２の途中で払出通路６２２から分岐する排出通路６２３とで構成されている。また、第１ケーシング６１１、第２ケーシング６１２及びカバー６１３の一側面には、払出制御基板５８１（図４６参照）との間の各種の信号の送受信を行う払出系信号中継装置６９１が配設されている。
【０１４７】
第１ケーシング６１１及び第２ケーシング６１２の各々には、待機通路６２１から払出通路６２２への遊技球の自重による移動を規制する支軸６４１及び支軸６４２によって軸支された払出フリッカ６４０と、払出フリッカ６４０の規制状態を変化させる払出ソレノイド６３０とが配設されている。なお、支軸６４１及び支軸６４２は２つの払出系統で共用されている。また、第１払出装置５４１は、待機通路６２１より上流側に貯留されている遊技球を排出通路６２３に強制的に誘導して、球式回動遊技機１００の外部に排出させる球抜き機構６８０を備えている。球抜き機構６８０は、固定軸６８１と、固定軸６８１に軸支された操作レバー６８２と、払出通路６２２に進入した遊技球を払出通路６２２と排出通路６２３との分岐点において遊技球の流下経路を切り替える切換部６８４Ａを２つの払出系統に対応して一対で含み２つの払出系統で共通な切換部材６８４と、払出ソレノイド６３０を強制的に機構的に作動させる押圧部６８３Ｄを２つの払出系統に対応して一対で含み２つの払出系統で共通な押圧部材６８３とで構成されている。また、第１払出装置５４１は、払出通路６２２に流入した遊技球を検出する払出カウントスイッチ６７１を２つの払出系統に対応して一対で含み２つの払出系統で共通な払出数計数装置６７０を備えている。
【０１４８】
第１払出装置５４１の各払出系統の詳細な構成及びその動作について説明する。なお、払出装置５４０における各払出系統の構成は実質的に同一であるために一方の払出系統について説明し、他の払出系統については説明を省略する。図３９（Ａ）〜図３９（Ｃ）は第１払出装置の構成の一例を示す縦断面図である。図３９（Ａ）が払出待機状態である場合、図３９（Ｂ）が払出状態である場合、図３９（Ｃ）が排出状態である場合を表している。
【０１４９】
第１払出装置５４１の払出系統は、図３９（Ａ）に示されたように、第１ケーシング６１１とカバー６１３（図３５参照）からなる樹脂製の筐体を有し、この筐体の内部に、払出フリッカ６４０と、払出ソレノイド６３０と、切換部材６８４の切換部６８４Ａとを備えている。第１ケーシング６１１の内部には、待機通路６２１と、待機通路６２１の下流側でほぼ鉛直下向きに延びる払出通路６２２と、払出通路６２２の途中から分岐して斜め下方へ延びる排出通路６２３とが形成されている。切換部６８４Ａは、払出通路６２２から排出通路６２３への分岐部に配設されている。通常は、切換部６８４Ａは略鉛直上向きに維持されているために、遊技球は排出通路６２３には流入しない。
【０１５０】
払出フリッカ６４０は、待機通路６２１から払出通路６２２への遊技球の流入を規制する。払出フリッカ６４０は、基端部材６４４と先端部材６４３とを備え、基端部材６４４に形成された可動連結軸６４４Ｃが先端部材６４３に形成された軸受孔（図示せず）に挿通されていることによって、基端部材６４４と先端部材６４３とが連結されている。払出フリッカ６４０の基端部材６４４及び先端部材６４３は、それぞれ、第１ケーシング６１１の支軸６４１及び支軸６４２によって回動自在に支持されている。払出フリッカ６４０の基端部材６４４には、払出ソレノイド６３０の舌片６３４Ｂを把持する把持部６４４Ｂが設けられている。また、払出フリッカ６４０の先端部材６４３には、待機通路６２１と払出通路６２２との境界部分に突出可能な開閉部６４３Ｂが設けられている。
【０１５１】
払出ソレノイド６３０は、所定の入賞条件を満たすことにより、或いは図示しないＣＲユニット（図示せず）にカード（図示せず）を挿入した状態における球貸出操作装置３９０（図１５及び図４６参照）への貸出操作により通電されて作動し、プランジャ６３２を上方へ縮まらせるものである。プランジャ６３２の先端には、プランジャ６３２の一側面から外方向に延びる舌片６３４Ｂの形成されたつまみ部材６３４が装着されている。また、プランジャ６３２の周縁には、コイルバネ６３３（付勢体の一種）が外装されている。コイルバネ６３３は、励磁コイル（図示せず）を含む払出ソレノイド６３０の本体部分６３１とつまみ部材６３４とを離間させる方向に付勢している。つまり、払出ソレノイド６３０への通電を切ったときには、プランジャ６３２は、コイルバネ６３３の付勢力により下方へ移動する。
【０１５２】
待機通路６２１と払出通路６２２との境界部分に払出フリッカ６４０の開閉部６４３Ｂが図３９（Ａ）に示されたように突出し、待機通路６２１から払出通路６２２への遊技球の流入が禁止された通過禁止状態において、所定の入賞条件が成立したり、度数表示部３９１（図１５参照）に残度数がある状態で球貸出操作装置３９０の貸出操作がなされると、払出ソレノイド６３０の励磁コイルに通電される。この通電に応じて、図３９（Ｂ）に示すように、プランジャ６３２が本体部分６３１に引き寄せられて払出フリッカ６４０の基端部材４４が図示上反時計回りに回転し、これに連動して払出フリッカ６４０の先端部材６４３は図示上時計回りに回転する。これによって、先端部材６４３の開閉部６４３Ｂが待機通路６２１と払出通路６２２との境界部分からそれらの球通路６２０（図３８も参照）の外側に移動し、待機通路６２１から払出通路６２２への遊技球の流入が許可された通過許可状態に移行する。通過許可状態に移行すると、遊技球は、自重によって自然落下する。逆に、図３９（Ｂ）に示された払出フリッカ６４０の通過許可状態において、払出ソレノイド６３０の通電が遮断されると、コイルバネ６３３の付勢力によりプランジャ６３２が本体部分６３１から引き離されて払出フリッカ６４０の基端部材６４４が図示上時計回りに回転し、これに連動して払出フリッカ６４０の先端部材６４３は図示上反時計回りに回転する。これによって、先端部材６４３の開閉部６４３Ｂが待機通路６２１と払出通路６２２との境界部分の球通路６２０の内側に移動し、図３９（Ａ）に示された通過禁止状態に戻る。
【０１５３】
また、払出ソレノイド６３０の下方には、押圧部材６８３（図３８も参照）の略Ｌ字形状の押圧部６８３Ｄが配置されている。押圧部６８３Ｄは、支軸部６８３Ｃを中心にして回動し、つまみ部材６３４を上方へ押圧したり押圧を解除したりする。第１ケーシング６１１の外部には、略扇形状の操作レバー６８２（図３８参照）が配設されている。操作レバー６８２は回転軸６８１を中心に回動可能である。操作レバー６８２には、切換部６８４Ａの中間に設けられた突起部６８４Ｃと、押圧部材６８３の基端部６８３Ａに設けられた突起部６８３Ｂとが連結されている。つまり、操作レバー６８２を操作すると、操作レバー６８２の回動に連動して、切換部６８４Ａと押圧部６８３Ｄが回動する。
【０１５４】
図３９（Ａ）に示された通過禁止状態から、操作レバー６８２を図示上反時計回りに操作すると、図３９（Ｃ）に示されたように、その操作に連動して切換部６８４Ａが図示上反時計回りに回転し、その回転に応じて払出通路６２２が遮断されて排出通路６２３への遊技球の流入が許可され、また、その操作に連動して押圧部６８３Ｄが回転しその回転によって払出ソレノイド６３０のつまみ部材６３４が押し上げられ、払出フリッカ６４０が通過許可状態となる。これによって、待機通路６２１から排出通路６２３への遊技球の流入が許可される。なお、タンクレール５２０（図３２参照）に設けた操作部５２５Ａの操作によって遊技球が流れるのを阻止しつつ操作レバー６８２を上記の如く操作すると、流下規制機構５２５から下流側に貯留されていた全ての遊技球を球式回胴遊技機１００の外部に排出できる。また、払出装置５４０（図３２参照）やケースレール５３０（図３２参照）が故障した場合には、払出装置５４０やケースレール５３０を簡便に取り替えることもできる。
【０１５５】
また、横断面略コ字形状の払出カウントスイッチ６７１が装着されており、払出カウントスイッチ６７１は、払出フリッカ６４０の開閉部６４３Ｂのすぐ下流側に配置され、払出通路６２２を流下する遊技球を検出する。払出カウントスイッチ６７１による遊技球の検出に基づいて払い出した遊技球の個数が計数されることとなる。
【０１５６】
誘導部材５５０は、図３３に示されたように、払出装置５４０の下方に配設されており、各払出装置５４０に１つずつ対応付けられた２条の払出球通路５５１と、各払出装置５４０に１つずつ対応付けられた２条の排出球通路５５２とを形成する。２条の払出球通路５５１は、図３５に示されたように、上流端において所定の払出通路６２２に連通し、下流端において上皿誘導通路５０２及び下皿誘導通路５０３に一括して連通されている。２条の払出球通路５５１の各々は、その下流部において上皿誘導通路５０２及び下皿誘導通路５０３を跨ぐように下流側に向けて先太りするテーパ形状となっており、その上流部において上皿誘導通路５０２側にやや傾いている。払出球通路５５１に流入した遊技球は、上皿誘導通路５０２又は下皿誘導通路５０３に流出するが、上流部が上皿誘導通路５０２側にやや傾いていることによって、下皿誘導通路５０３よりも上皿誘導通路５０２に優位に流出する。また、２条の排出球通路５５２は、上流端において所定の排出通路６２３に連通し、下流側において合流して１条の排出球通路となり、その下流端において排出誘導通路５０４に連通されている。
【０１５７】
電源制御装置５７０は、図３３に示されたように、外部電力に基づいて所定の電源電圧の電力を各種制御装置や各種の駆動装置や各種のスイッチに供給する。電源制御装置５７０は、電源制御基板５７１（図４６参照）と、電源制御基板５７１を収納する収納部材５７２及び収納部材５７２と係合して電源制御基板５７１を封止する蓋部材５７３からなる２つ割りの基板ケースとを含んでいる。電源制御基板５７１には、電源回路５７１Ａ（図４６参照）と、電源スイッチ５７１Ｂ、リセットスイッチ５７１Ｃ、打止切換スイッチ５７１Ｄ及び設定変更スイッチ５７１Ｅ（図４７参照）及び電源回路５７１Ａから出力される電力の電圧を監視する停電監視回路５７１Ｆ（図４６参照）が設けられている。電源制御装置５７０の蓋部材５７３には係合爪部５７３Ａ（図３４参照）が形成され、また、払出ブロック基体５００には電源制御装置５７０の係合爪部５７３Ａが挿通される貫通孔５０７Ａと、貫通孔５０７Ａの一部に突出し、係合爪部５７３Ａと係合する係合爪部５０７Ｂが形成されており、払出ブロック基体５００に対して電源制御装置５７０を対向方向に移動させて払出ブロック基体５００の貫通孔５０７Ａに電源制御装置５７０の係合爪部５７３Ａを挿入し、その後、払出ブロック基体５００に対して電源制御装置５７０を並進移動（スライド）させて払出ブロック基体５００の係合爪部５０７Ｂに電源制御装置５７０の係合爪部５７３Ａを係合させることによって、電源制御装置５７０が払出ブロック基体５００に装着される。
【０１５８】
電源スイッチ５７１Ｂは、外部電力を電源回路５７１Ａに取り込むか否かを決定するスイッチであり、電源スイッチ５７１Ｂがオン状態である場合には、外部電力が取り込まれて各種制御装置や各種の駆動装置や各種のスイッチに電力が供給される。リセットスイッチ５７１Ｃは主制御基板７５１や払出制御基板５８１の動作状態を初期化するボタンスイッチであり、電源スイッチ５７１Ｂがオン状態であり遊技状態がエラー状態である場合にリセットスイッチ５７１Ｃが操作（押下）されるとＲＡＭ７５１Ｃ及びＲＡＭ５８１Ｃのエラーに関連する情報がリセットされてエラー状態が解除される。打止切換スイッチ５７１Ｄは、ビッグボーナスの終了毎に遊技進行を一時停止するか否かを設定するスイッチである。設定変更スイッチ５７１Ｅは、ボーナス役の当選確率等の各種の抽選確率を決定する確率設定を変更するキースイッチである。球式回胴遊技機１００において出球率（単位遊技当たりの遊技球の獲得に対する期待値）等の異なる確率設定が予め複数段階（例えば６段階）に定められており、そのいずれかの段階が確率設定として設定されている。確率設定の変更の手順は次の通りである。まず、電源スイッチ５７１Ｂがオフ状態である場合に、設定変更スイッチ５７１Ｅに所定の設定キー（図示せず）を挿入して時計回りに９０度回転させる。なお、このとき設定キーから手を離しても現状が維持される。この状態で、電源スイッチ５７１Ｂをオン状態に移行させると、遊技ブロック１２３の前面側に設けられた遊技状態表示装置７３４（図４０参照）に現在の確率設定（例えば、数値「１」〜「６」）が表示される。この状態で、リセットスイッチ５７１Ｃを操作すると、その操作毎に変更後の確率設定の候補が遊技状態表示装置７３４の７セグメント表示部７３４Ａに循環的に表示される（例えば、操作毎に表示される数値が変化して１ずつ増加し、「６」の場合には「１」に戻る）。変更後の確率設定の候補として所望の確率設定が遊技状態表示装置７３４に表示されている状態で単位遊技開始操作装置３７０（図１５参照）を操作（スタートレバー３７０Ａを押下）すると、確率設定の候補が７セグメント表示部７３４Ａに表示されている確率設定に確定される。その後、設定キーを反時計回りに９０度回転させると、７セグメント表示部７３４Ａにおける確率設定の候補の表示が消え、確率設定が上記で候補として確定された確率設定に変更される。停電監視回路５７１Ｆは、電源回路５７１Ａから出力される電力の電圧を監視しており、電源スイッチ５７１Ｂのオフ状態への移行や不測の外部電力の遮断や不測の電圧変動によって所定の許容範囲の電圧未満となったか否かを検出する。その状態が所定の時間だけ継続した場合には、停電状態の発生と判断して、球式回胴遊技機１００が停止されることとなる。
【０１５９】
払出制御装置５８０は、主制御装置７５０（図４０参照）の主制御基板７５１（図４６参照）からの指示に基づいて払出装置５４０による遊技球の払い出しや貸し出しを制御する。払出制御装置５８０は、払出制御基板５８１（図４６参照）と、払出制御基板５８１を収納する収納部材５８２及び収納部材５８２と係合して払出制御基板５８１を封止する蓋部材５８３からなり、収納部材５８２及び蓋部材５８３が開封の痕跡を残さずには開封できないように連結された２つ割りの基板ケースとを含んでいる。払出制御基板５８１は、図４６に示されたように、制御の中枢をなすＣＰＵ５８１Ａ、制御プログラムや制御プログラムで参照される固定データを記憶するＲＯＭ５８１Ｂ及び制御プログラムの実行において参照される可変データ等を記憶するＲＡＭ５８１Ｃを１チップ化したＭＰＵや外部に出力する信号及び外部から入力される信号の入出力を制御する各種の入出力ポート５８１Ｄ等を含んでいる。払出制御装置５８０の蓋部材５８３には係合爪部５８３Ａが形成され、また、電源制御装置５７０の収納部材５７２には払出制御装置５８０の係合爪部５８３Ａと係合する係合爪部５７２Ａが形成されており、電源制御装置５７０に対して払出制御装置５８０を並進移動（スライド）させて電源制御装置５７０の係合爪部５７２Ａに払出制御装置５８０の係合爪部５８３Ａを係合させることによって、払出制御装置５８０が電源制御装置５７０に装着される。
【０１６０】
ＣＲユニット接続装置５９０は、球式回胴遊技機１００の前面の球貸出操作部３９２（図１５参照）及びＣＲユニット（図示せず）に電気的に接続され、遊技者による貸出操作を検知してＣＲユニットに信号を出力したり、その出力に応じたＣＲユニットからの信号を払出制御基板５８１に伝達したりする。なお、ＣＲユニットを介さずに外部球貸装置等から上貯留皿３２０（図１５参照）に遊技球が直接に貸し出される場合には、ＣＲユニット接続装置５９０は不要である。
【０１６１】
（遊技ブロックの構成）
遊技ブロック１２３について説明する。図４０及び図４１はそれぞれ遊技ブロックの一例を表す正面側及び背面側の斜視図であり、図４２は遊技ブロックの一例を表す部分分解斜視図であり、図４３は遊技ブロックの一例を表す背面図である。遊技ブロック１２３は、図４０〜図４３に示されたように、前面ブロック１２１の遊技領域透視パネル３０１（図１５参照）を介して視認される。遊技ブロック１２３は、窓孔７００Ａ及び窓孔７００Ｂが形成されている遊技ブロック基体７００と、窓孔７００Ａに対応して遊技ブロック基体７００の背面側から取着され、窓孔７００Ａを通して一部が視認される回胴ユニット７１０と、窓孔７００Ｂに対応して遊技ブロック基体７００に背面側から取着され、窓孔７００Ｂを通して表示画面が視認される液晶表示装置７２０と、液晶表示装置７２０の左方において遊技ブロック基体７００に背面側から取着された可動演出装置７３１と、可動演出装置７３１の下方において遊技ブロック基体７００に背面側から取着された演出発光装置７３２、液晶表示装置７２０及び回胴ユニット７１０の右方において遊技ブロック基体７００に背面側から取着された演出発光装置７３３と、演出発光装置７３３の下方において遊技ブロック基体７００に背面側から取着された遊技状態表示装置７３４と、回胴ユニット７１０の一側方において遊技ブロック基体７００の背面側に取着された主取付台７４０と、主取付台７４０に配設された主制御装置７５０と、液晶表示装置７２０の後方に位置し、遊技ブロック基体７００の背面側に取着された副取付台７６０と、副取付台７６０に配設された副制御装置７７０とを備えている。なお、上述のように、遊技ブロック１２３の一部としての遊技ブロック基体７００には、図４３に示されたように遊技ブロック１２３（図９及び図１０参照）を前面ブロック１２１（図９及び図１０参照）に対して回動自在に支持固定する一対のブロック支持機構１２４（図９及び図１０参照）を構成する遊技ブロック側支持部材２１２と、図４１及び図４３に示されたように遊技ブロック１２３を払出ブロック１２２に対して固定すると一対の遊技ブロック固定機構１２６（図１０参照）を構成する遊技ブロック側固定機構２４２とが設けられている。
【０１６２】
回胴ユニット７１０は、左回胴８１０Ｌと、中回胴８１０Ｍと、右回胴８１０Ｒとを備えている。左回胴８１０Ｌ、中回胴８１０Ｍ及び右回胴８１０Ｒの各々の表面には複数種類の図柄が描かれており、単位遊技の開始時に左回胴８１０Ｌ、中回胴８１０Ｍ及び右回胴８１０Ｒの全てが所定の方向に回転することによって図柄表示が変動し、その後、左回胴８１０Ｌ、中回胴８１０Ｍ及び右回胴８１０Ｒの全てが停止することによって遊技結果を表す図柄表示が確定される。遊技ブロック基体７００の窓孔７００Ａからは、左回胴８１０Ｌ、中回胴８１０Ｍ及び右回胴８１０Ｒにそれぞれ貼着される左図柄シール８１２Ｌ、中図柄シール８１２Ｍ及び右図柄シール８１２Ｌ（図４４及び図４５参照）の各々の図柄のうちそれぞれ３図柄の全体が窓孔７００Ａから視認できる。
【０１６３】
液晶表示装置７２０は、通常遊技中の小役当選の報知演出や遊技状態が通常遊技状態からボーナス状態に遷移することを示唆するための示唆演出、ビッグボーナス又はレギュラーボーナス中の演出、ボーナス中の小役ゲーム数やＪＡＣゲーム数の表示、特定の遊技状態（例えば、リプレイが当選しやすいＲＴ状態）であることを報知する演出、左回胴停止操作部３８０Ｌ、中回胴停止操作部３８０Ｍ及び右回胴停止操作部３８０Ｒ（図１５参照）の操作タイミングや操作順序を報知する演出などを行う。
【０１６４】
回胴ユニット７１０について詳細に説明する。図４４は、回胴ユニットの一例の部分解斜視図である。回胴ユニット７１０は、図４４に示されたように、左回胴８１０Ｌと、中回胴８１０Ｍと、右回胴８１０Ｒと、左回胴８１０Ｌ、中回胴８１０Ｍ及び右回胴８１０Ｒを固定する上枠部材８０１、下枠部材８０２、左枠部材８０３及び背枠部材８０４からなる回胴ユニット枠と、左回胴８１０Ｌ、中回胴８１０Ｍ及び右回胴８１０Ｒの駆動を制御するモータドライバ８０９とを備えている。左回胴８１０Ｌ、中回胴８１０Ｍ及び右回胴８１０Ｒは、実質的に同一の構成であるために、以下において、右回胴８１０Ｒを例に挙げて説明する。なお、左回胴８１０Ｌ、中回胴８１０Ｍ及び右回胴８１０Ｒの内部構造について互いの回胴を特に識別する必要がある場合には参照符号の末尾にそれぞれＬ、Ｍ及びＲの接尾辞を付加して識別することとする。
【０１６５】
右回胴８１０Ｒは、円筒状のかごを形成する円筒骨格部材８１１と、円筒骨格部材８１１の外周面に貼着され、２１個の図柄（識別要素）が等間隔で描かれた図柄シール８１２（図４５も参照）と、円筒骨格部材８１１を回転させるステッピングモータ８１３と、円筒骨格部材８１１とステッピングモータ８１３の回転軸８１３Ａとを連結する円盤状の連結板８１４と、上枠部材８０１及び下枠部材８０２とに接続され、回胴ユニット枠にステッピングモータ８１３を固定するモータプレート８１５と、円筒骨格部材８１１の５つの車輻８１１Ａのうちの１つに配設され、回転軸方向に突出するセンサカット板８１６と、モータプレート８１５に取着され、センサカット板８１６の通過を検出する回胴位置検出センサ８１７とを備えている。
【０１６６】
ステッピングモータ８１４は、５０４パルスの駆動信号（励磁信号又は励磁パルスとも称される）により右回胴８１０Ｒが１周するように設定されており、この励磁パルスによって回転位置が制御される。すなわち、右回胴８１０Ｒが１周すると２１図柄が順々に遊技ブロック基体７００の窓孔７００Ａから露出するため、ある図柄から次の図柄へ切り替えるには２４パルス（＝５０４パルス÷２１図柄）を要する。そして、回胴位置検出センサ８１７がセンサカット板８１６の通過を検出したことを表す信号の受信の時点からのパルス数により、どの図柄が窓孔７００Ａを通して表示されているかを認識したり、所望の図柄が窓孔７００Ａを通して表示されるように停止制御を行ったりできる。ステッピングモータ８１４として、本形態においては、１−２相励磁方式を採用したハイブリッド（ＨＢ）型の２相ステッピングモータを使用している。なお、ステッピングモータ８１４はハイブリッド型や２相に限らず、３相のステッピングモータや５相のステッピングモータなど、種々のステッピングモータを使用することができる。ステッピングモータ８１４に対する駆動信号（駆動信号用データ）は、励磁データとしてモータドライバ８０９に与えられる。
【０１６７】
回胴位置検出センサ８１７は発光素子と受光素子とが一対となったフォトセンサであり、発光素子と受光素子とは所定の間隔を隔てて配置されている。センサカット板８１６は、右回胴８１０Ｒの回転に伴って１回転毎に回胴位置検出センサ８１７の発光素子と受光素子との間隙を通過する。したがって、右回胴８１０Ｒが１回転するごとにセンサカット板８１６の通過が回胴位置検出センサ８１７によって検出され、検出状態に応じた信号が出力される。主制御装置７５０の主制御基板７５１はこの検出信号に基づいて右回胴８１０Ｒの角度位置を１回転ごとに確認し、ズレが発生している場合には主制御基板７５１における回転情報が補正される。
【０１６８】
ここで、左回胴８１０Ｌ、中回胴８１０Ｍ及び右回胴８１０Ｒの図柄シール８１２Ｌ、８１２Ｍ及び８１２Ｒの各々に描かれる図柄について説明する。図４５は、図柄シールを表す展開図であり、図４５（Ａ）が左回胴の図柄シールの一例を表し、図４５（Ｂ）が中回胴の図柄シールを表し、図４５（Ｃ）が右回胴の図柄シールを表している。図４５（Ａ）〜図４５（Ｃ）に示されたように、左図柄シール８１２Ｌ、中図柄シール８１２Ｍ及び右図柄シール８１２Ｒの各々には、「７」図柄（例えば、左図柄シール８１２Ｌにおける第１９番目の図柄）と、「青年」図柄（例えば、左図柄シール８１２Ｌにおける第１４番目の図柄）と、「ＢＡＲ」図柄（例えば、左図柄シール８１２Ｌにおける第１７番目の図柄)と、「リプレイ」図柄（例えば、左図柄シール８１２Ｌにおける第２０番目の図柄）と、「スイカ」図柄（例えば、左図柄シール８１２Ｌにおける第１２番目の図柄）と、「ベル」図柄（例えば、左図柄シール８１２Ｌにおける第１８番目の図柄）と、「チェリー」図柄（例えば、左図柄シール８１２Ｌにおける第１６番目の図柄）とを含んでいる。左図柄シール８１２Ｌ、中図柄シール８１２Ｍ及び右図柄シール８１２Ｒの各々において、図柄の種類ごとの数や図柄の配列等は異ならせている。本形態では、左図柄シール８１２Ｌ、中図柄シール８１２Ｍ及び右図柄シール８１２Ｒの各々には、全種類の図柄が含まれている場合を例示したが、本発明においては、各図柄シールには必ずしも全種類の図柄が含まれていなくてもよい。また、本形態においては、左図柄シール８１２Ｌ、中図柄シール８１２Ｍ及び右図柄シール８１２Ｒの各々における図柄数が２１個である場合を例示したが、本発明においては、図柄数は２０個以下であってもよいし、２２個以上であってもよい。
【０１６９】
本形態では、「７」図柄（ビッグボーナス図柄の一種）がいずれかの有効ラインに沿って３つ揃った場合又は「青年」図柄（ビッグボーナス図柄の一種）がいずれかの有効ラインに沿って３つ揃った場合には、ビッグボーナス役の入賞となり、ビッグボーナスゲームに移行する。また、「ＢＡＲ」図柄（レギュラーボーナス図柄）がいずれかの有効ラインに沿って３つ揃った場合には、レギュラーボーナス役の入賞となり、レギュラーボーナスゲームに移行する。「リプレイ」図柄がいずれかの有効ラインに沿って３つ揃った場合には、再遊技役の入賞となり、再遊技ゲーム（リプレイゲーム）に移行する。「スイカ」図柄いずれかの有効ラインに沿って３つ揃った場合にはスイカ役の入賞となり、「ベル」図柄いずれかの有効ラインに沿って３つ揃った場合にはベル役の入賞となり、左回胴８１０Ｌの「チェリー」図柄がいずれかの有効ライン上に停止した場合にはチェリー役の入賞となり、それぞれ所定の個数の遊技球が払い出されることとなる。
【０１７０】
可動演出装置７３１、演出発光装置７３２及び演出発光装置７３３は、図４０に示されたように、遊技進行に伴う演出やビッグボーナス又はレギュラーボーナスの確定報知などに使用される。
【０１７１】
可動演出装置７３１、演出発光装置７３２及び演出発光装置７３３は、遊技進行に伴う演出やビッグボーナスやレギュラーボーナス等の利益役当選の確定報知などに使用される。遊技状態表示装置７３４は、上方側において数字関連情報を表示する７セグメント表示部７３４Ａと、前回の単位遊技で再遊技役に当選しかつ入賞した再遊技状態であることを表示する再遊技状態表示部７３４Ｂと、ベット数を表示するベット数表示部７３４Ｃ〜Ｅで構成されている。７セグＬＥＤ表示部７３４Ａは、入賞に伴う払出数、エラー状態発生時のエラーコード、ボーナス遊技状態中の総払出数やゲーム数、設定変更時の現在の確率設定や変更候補の確率設定等を表示する。
【０１７２】
主制御装置７５０は、図４０〜図４３に示されたように、球式回胴遊技機１００の主たる遊技進行の制御を司るもので、例えば、単位遊技開始操作装置３７０（図１５参照）からの単位遊技開始指示の入力に応じて複数種類の利益役（ビッグボーナス、レギュラーボーナス、小役、リプレイ等）の抽選を行い、その抽選結果に基づき副制御装置７７０や払出制御装置５８０に指令信号を出力する。主制御装置７５０は、主制御基板７５１（図４６も参照）と、主出制御基板７５１を収納する収納部材７５２及び収納部材７５２と係合して主出制御基板７５１を封止する蓋部材７５３からなり、収納部材７５２及び蓋部材７５３が開封の痕跡を残さずには開封できないように連結された２つ割りの基板ケースとを含んでいる。主制御基板７５１は、図４６に示されたように、制御の中枢をなすＣＰＵ７５１Ａ、制御プログラムや制御プログラムで参照される固定データを記憶するＲＯＭ７５１Ｂ及び制御プログラムの実行において参照される可変データ等を記憶するＲＡＭ７５１Ｃを１チップに含むＭＰＵと、外部に出力する信号及び外部から入力される信号の入出力を制御する各種入出力ポート７５１Ｄ、各種抽選に用いられる乱数発生回路７５１Ｅ、時間計数や同期を図る場合等に使用されるクロック回路７５１Ｆ等を含んでいる。図４２に示されたように、主制御装置７５０の収納部材７５２には係合爪部７５０Ａが形成され、また、主取付台７４０には収納部材７５２の係合爪部７５０Ａと係合する係合爪部７４０Ａが形成されており、主取付台７４０に対して主制御装置７５０を並進移動（スライド）させて主取付台７４０の係合爪部７４０Ａに主制御装置７５０の係合爪部７５０Ａを係合させることによって、主制御装置７５０が主取付台７４０に装着される。
【０１７３】
副制御装置７７０は、図４２に示されたように、副制御基板７７１（図４６参照）と、副制御基板７７１を収納する収納部材７７１及び収納部材７７２と係合して副制御基板７７１を封止する蓋部材７７３からなり、収納部材７７２及び蓋部材７７３が開封の痕跡を残さずには開封できないように連結された２つ割りの基板ケースとを含んでいる。副制御基板７７１は、制御の中枢をなすＣＰＵ（図示せず）、制御プログラムや制御プログラムで参照される固定データを記憶するＲＯＭ（図示せず）、制御プログラムの実行において参照される可変データ等を記憶するＲＡＭ（図示せず）、外部に出力する信号及び外部から入力される信号の入出力を制御する各種入出力ポート（図示せず）等を含んでいる。副制御装置７７０は、副取付台７６０を介して遊技ブロック基体７００に装着される。
【０１７４】
〔本発明の主たる特徴部分の構成〕
本発明に係る球式回胴遊技機１００（〔遊技機〕の一種）は、図１０を参照して上述したように、外枠１１０（〔枠体〕の一種）と、遊技機本体１２０（〔本体〕の一種）と、遊技機本体１２０を外枠１１０に対して開閉自在に支持する本体支持機構１３０と、外枠１１０に対して遊技機本体１２０を施錠する本体施錠機構１４０と、本体施錠機構１４０を開錠させたり施錠させたりする錠開閉操作機構１５０（図１参照）とを備えている。遊技機本体１２０は、前面ブロック１２１（〔前面ブロック〕の一種）と、払出ブロック１２２（〔背面ブロック〕の一種の一部）と、遊技ブロック１２３（〔背面ブロック〕の一種の一部）と、前面ブロック１２１に対して払出ブロック１２２及び遊技ブロック１２３を開閉自在に支持する一対のブロック支持機構１２４（〔ブロック間支持機構〕の一種）と、前面ブロック１２１に対して払出ブロック１２２を施錠する払出ブロック施錠機構１２５と、払出ブロック１２２に対して遊技ブロック１２３を固定する一対の遊技ブロック固定機構１２６（〔背面ブロック〕の一種の一部）とを備えている。払出ブロック１２２及び遊技ブロック１２３は、外枠１１０に対する遊技機本体１２０の開放状態において前面ブロック１２１に対する開閉が許容され、外枠１１０に対する遊技機本体１２０の閉鎖状態において、主に一対の回動部材２３８を含む開放防止機構によって前面ブロック１２１に対する開閉が禁止されている。なお、以下においては、遊技ブロック１２３は、払出ブロック１２２に常に固定されているとして説明する。払出ブロック１２２は、図３２を参照して上述したように、払出ブロック基体５００（〔基体〕の一種）と、払出ブロック基体５００の背面側に着脱自在に取着された電源制御装置５７０（〔遊技媒体の獲得に関与する回路装置〕の一種）と、払出ブロック基体５００の背面側に電源制御装置５７０を介して着脱自在に取着された払出制御装置５８０（〔遊技媒体の獲得に関与する回路装置〕の一種）とを含んでいる。
【０１７５】
電源制御装置５７０は、所定の一方向（以下、「離脱方向」とも称す）への払出ブロック基体５００に対する所定の最小距離（以下、「離脱距離」とも称す）以上の並進移動によって、払出ブロック基体５００から取り外せる状態となり、また、払出制御装置５８０は、所定の一方向（以下、「離脱方向」とも称す）への払出ブロック基体５００に対する所定の最小距離（以下、「離脱距離」とも称す）以上の並進移動によって、払出ブロック基体５００から取り外せる状態となる。なお、本形態においては、電源制御装置５７０の離脱方向と払出制御装置５８０の離脱方向とは同一方向である。
【０１７６】
球式回胴遊技機１００は、更に、図３１に示されたように、払出ブロック１２２に対して回動自在（〔移動自在〕の一種）であり、電源制御装置５７０及び払出制御装置５８０の着脱を規制する着脱規制体１０（〔離脱規制体〕の一種）を更に備えている。ここで、着脱規制体１０について詳細に説明する。図４７は、着脱規制体の動作の一例を説明するために離脱規制体の近傍の一例を表す斜視図である。図４７（Ａ）及び図４７（Ｂ）には、それぞれ、払出ブロック１２２に対する着脱規制体５６０の閉鎖状態及び開放状態が示されている。
【０１７７】
図４７（Ａ）及び図４７（Ｂ）に示されたように、着脱規制体１０（〔離脱規制体〕の一種）は、払出ブロック１２２の閉鎖状態において前面ブロック１２１（図１０参照）（〔前面ブロック〕の一種）と払出ブロック１２２との間隙（〔ブロック間隙〕の一種）を実質的に埋める基体部１１（〔基体部〕の一種）と、基体部１１の左端に設けられ、払出ブロック基体５００に接続される一対の軸体部１２（図３１参照）と、基体部１１の背面側に突出する突出爪部１３（〔移動規制機構〕の一種の一部：〔背面基体の係合部〕の一種）と、基体部１１に固着された着脱規制部１４（〔離脱規制部〕の一種）と、基体部１１に設けられ、着脱規制部１４の周縁の一部を覆う被覆部１５（〔破断抑制部〕の一種）を含んでいる。
【０１７８】
基体部１１は、前面ブロック１２１において払出ブロック１２２の閉鎖状態で基体部１１に対向する部分の凹凸形状と概ね同一の凹凸が形成された板状片２１（図４７（Ｂ）のみ；図３１も参照）と、板状片２１の背面側に垂設され、払出ブロック１２２において払出ブロック１２２の閉鎖状態で基体部１１に対向する部分の凹凸形状と概ね同一の凹凸形状となるように局所的な長さが適宜に調整された垂設片２２（図４７（Ｂ）のみ）とを含んでいる。払出ブロック１２２の閉鎖状態における板状片２１と前面ブロック１２２との間には実質的に空隙が形成されない。着脱規制体１０の閉鎖状態における板状片２１と払出ブロック１２２との間の空間は、垂設片２２によって複数の小空間に分割されている。突出爪部１３は、着脱規制部１４側と反対側に突出する先端爪３１と、先端爪３１と基体部１１とを接続する突出腕３２とを含んでいる。着脱規制部１４は、板状片２１の背面側に垂設された規制片４１と、規制片４１から垂設され、規制片４１の強度を補強する補強片４２とを含んでいる。被覆部１５は、補強片４２が突出する側の着脱規制部１４の一部を覆い、着脱規制部１４の撓みに基づく破断を抑制している。
【０１７９】
払出ブロック基体５００には、その前面側（前面ブロック側）において着脱規制体１０の軸体部１２と係合する一対の軸受け部９１（図３１参照）と、着脱規制体１０の最大回転角度を制限する一対の回転制限部９２（図３１参照）とが設けられている。また、払出ブロック基体５００には、着脱規制体１０の突出爪部１３が挿通される貫通孔９３と、着脱規制体１０の着脱規制部１４が挿通される貫通孔９４とが形成されている。なお、一対の軸受け部９１、一対の回転制限部９２、貫通孔９３及び貫通孔９４は、払出ブロック基体５００の一体成型において一括して形成される。
【０１８０】
着脱規制体１０は、一対の軸受け部９１と一対の軸体部１２との枢着によって、球式回胴遊技機１００の左右方向の中央近傍における上下方向の軸を回転軸として回動して、図４７（Ａ）に示されたように、払出ブロック１２２に対して着脱規制体１０が閉鎖された状態（以下、「着脱規制体の閉鎖状態」とも略記する）と、図４７（Ｂ）に示されたように、払出ブロック１２２に対して着脱規制体１０が開放された状態（以下、「着脱規制体の開放状態」とも略記する）との間を移行する。
【０１８１】
着脱規制体の閉鎖状態において、着脱規制部１４は、電源制御装置５７０及び払出制御基板に対する着脱規制位置（〔離脱規制位置〕の一種）に配置されており、貫通孔９４を貫通して払出ブロック基体５００の背面側に突出し、電源制御装置５７０における離脱方向側の端部から離脱距離未満だけの間隙を隔てて離脱方向の前方を覆うと共に、払出制御装置５８０における離脱方向側の端部から離脱距離未満だけの間隙を隔てて離脱方向の前方を覆っている。つまり、着脱規制部１４は、また、着脱規制体１０の突出爪部１３が払出ブロック基体５００の貫通孔９３に挿通されて、突出爪部１３における着脱規制部１４と反対側に突出する先端爪３１が払出ブロック基体５００の背面側に突出しており、貫通孔９３による突出爪部１３の係止によって払出ブロック１２２に対する着脱規制体１０の前面ブロック１２１側への回転（以下、「開放回転」とも称す）が禁止されている。なお、着脱規制体１０の前面ブロック１２１と反対側への回転（以下、「閉鎖回転」とも称す）も、着脱規制体１０の垂設片２２と払出ブロック基体５００とが当接することによって実質的に禁止されている。
【０１８２】
着脱規制体１０の閉鎖状態から払出ブロック１２２に対して着脱規制体１０を開放回転させるためには、まず、突出爪部１３の先端爪３１を着脱規制部１４側へ移動させて貫通孔９３による突出爪部１３の係止を解除しなければならない。但し、払出ブロック１２２の開放状態においては、突出爪部１３の係止の解除によって、着脱規制体１０は回転自在となるが、払出ブロック１２２の開放状態においては、突出爪部１３の係止が解除されたとしても、着脱規制体１０の板状片２１と前面ブロック基体とが当接することによって実質的に着脱規制体１０の開放回転は禁止される。
【０１８３】
ここで、払出ブロック１２２の開放状態における着脱規制体１０の開閉動作について説明する。まず、先端爪３１が着脱規制部１４側へ押圧されると、先端爪３１は、押圧される部分が傾斜面であるために、突出腕３２の撓みによって着脱規制部１４側へ移動した後に前面ブロック側に移動する。したがって、突出爪部１３は先端爪３１への押圧を止めても係止状態に復帰しない。更に、突出腕３２の撓み状態からの復元力によって、先端爪３１が貫通孔９３の側壁とも係合しない状態まで自動的に回転する。この状態においては、まだ、着脱規制部１４は電源制御装置５７０の離脱方向の前方を覆うと共に払出制御装置５８０の離脱方向の前方を覆っており、電源制御装置５７０及び払出制御装置５８０の取り外しは着脱規制部１４によって禁止されている。その後は、図４７（Ｂ）に示されたように、払出ブロック基体５００の前面側から着脱規制体１０を掴んで自由に回動させることができる。なお、基体部１１は、前面ブロック１２１と払出ブロック１２２との間の空間内で回動する。
【０１８４】
突出爪部１３の係止解除後において、着脱規制体１０を所定の角度だけ開放回転させると、着脱規制部１４は電源制御装置５７０の離脱方向の前方は覆うが払出制御装置５８０の離脱方向の前方は覆わない払出制御装置５８０に対する着脱許容位置（〔離脱許容位置〕の一種）に移動し、払出制御装置５８０を電源制御装置５７０から離脱させることができる。なお、このときの着脱規制部１４の位置は、電源制御装置５７０に対しては着脱禁止位置である。また、着脱規制体１０を所定の角度だけ更に開放回転させると、電源制御装置５７０の離脱方向の前方も覆わない電源制御装置５７０に対する着脱許容位置（〔離脱許容位置〕の一種）に移動し、電源制御装置５７０を払出ブロック基体５００から離脱させることができる。なお、着脱規制体１０を更に開放回転させると着脱規制体１０が回転制限部９２に当接し、これによって、着脱規制体１０の閉鎖状態からの最大回転角度が所定の角度（本形態では９０度）に制限される。
【０１８５】
ここで、電源制御装置５７０及び払出制御装置５８０の着脱について説明する。図４８及び図４９は、電源制御装置及び払出制御装置の着脱過程の一例を説明するための背面視及び正面視の分解斜視図である。図４８（Ａ）及び図４９（Ａ）には、払出ブロック基体５００から電源制御装置５７０及び払出制御装置５８０を一体的に取り外した状態が示され、図４８（Ｂ）及び図４９（Ｂ）には、更に、電源制御装置５７０から払出制御装置５８０を取り外した状態が示されている。
【０１８６】
図４８（Ａ）及び図４９（Ａ）に示されたように、着脱規制体１０の開放状態において、電源制御装置５７０及び払出制御装置５８０が一体的に離脱距離以上だけ離脱方向に並進移動されて払出ブロック基体５００の貫通孔５０７Ａと電源制御装置５７０の係合爪部５７３Ａとの係合が解除され、更にそれらの係合が解除された後に払出ブロック基体５００に対して電源制御装置５７０が背面側へ並進移動されると、貫通孔５０７Ａから係合爪部５７３Ａが抜脱されて払出ブロック基体５００と電源制御装置５７０が離間する。更に、図４８（Ｂ）及び図４９（Ｂ）に示されたように、払出制御装置５８０が離脱距離以上だけ離脱方向に並進移動されて電源制御装置５７０の係合爪部５７２Ａと払出制御装置５８０の係合爪部５８３Ａとの係合が解除され、更にそれらの係合が解除された後に払出ブロック基体５００に対して電源制御装置５７０が背面側へ並進移動されると、払出ブロック基体５００と電源制御装置５７０が離間する。図４８及び図４９を参照して払出ブロック基体５００から電源制御装置５７０及び払出制御装置５８０を一体的に取り外した後に、電源制御装置５７０から払出制御装置５８０を取り外す場合について説明したが、電源装置５７０が払出ブロック基体５００に装着されている状態において、払出制御装置５８０を取り外すこともできる。なお、着脱規制体１０の開放状態において、上記で説明した取り外しの場合と逆の過程を経ることによって、電源制御装置５７０と払出制御装置５８０とを装着できる。
【０１８７】
球式回胴遊技機１００であれば、電源制御装置５７０や払出制御装置５８０の取り替えにおいて、外枠１１０に対して遊技機本体１２０を開放するだけではなく、その開放後に前面ブロック１２１に対して払出ブロック１２２を開放すると共に着脱規制体１０を開放して、着脱規制部１４を着脱禁止位置から、払出制御装置５８０を取り替える場合には払出制御装置５８０に対する着脱許容位置に、また、電源制御装置５７０を単独又は払出制御装置５７０と共に取り替える場合には電源制御装置５７０に対する着脱許容位置に移動させなければならない。これによって、第１に、電源制御装置５７０や払出制御装置５８０を他の不正な回路装置に取り替えたりして球式回胴遊技機１００の動作を改変するような不正行為を行うには、本体開放後通常作業（背面表出後通常作業）に必要な作業時間に比べて大幅に長い作業時間を要することとなり、作業時間の長短に基づいて本体開放後通常作業であるか不正行為であるかの識別精度が向上する。第２に、上記の不正行為を行うには、電源制御装置５７０や払出制御装置５８０を取り外したり取り出したりする作業を行うために払出ブロック１２２を外枠１１０に対して所定の開放角度以上で開放するだけではなく、更に、着脱規制部１４を着脱禁止位置に維持するために払出ブロック１２２を前面ブロック１２１に対して所定の開放角度以上で開放させなければならず、本体開放後通常作業に必要な外枠１１０に対する前面ブロックの開放角度に比べて大幅に大きな開放角度で開放を行うこととなり、外枠１１０に対する前面ブロック１２１の開放角度に基づいて本体開放後通常作業であるか不正行為であるかの識別精度が向上する。第３に、上記の不正行為を行うには、外枠１１０に対して遊技機本体１２０を開放するだけではなく、更に、本体開放後通常作業においては開放されることが極めて稀な前面ブロック１２１に対する払出ブロック１２２の開放を行うこととなり、また、本来通常遊技中において開放されることのない着脱規制体１０の開放が行われることとなり、前面ブロック１２１や着脱規制体１０の開放が行われた否かの監視に基づいて本体開放後通常作業であるか不正行為であるかの識別精度が向上する。これらの識別精度の向上によって不正行為の識別力が向上し、電源制御装置５７０や払出制御装置５８０に不正な改変が加えられることや、不正な改変が加えられた状態で遊技が行われることが抑制される。
【０１８８】
また、球式回胴遊技機１００であれば、着脱規制部１４の電源制御装置５７０や払出制御装置５８０に対する着脱許容位置への移動が、払出ブロック１２２の閉鎖状態において、着脱規制体１０と前面ブロック１２１との当接により禁止されるために、外枠１１０に対する払出ブロック１２２の閉鎖状態における球式回胴遊技機１００の背面側からの操作によって、電源制御装置５７０や払出制御装置５８０が着脱自在な状態になることが防止される。更に、球式回胴遊技機１００であれば、払出ブロック１２２は、払出ブロック１２２と枠体１１０との当接によって、また、主に一対の回動部材２３８を含む開閉防止機構によるロックによって、外枠１１０に対する遊技機本体１２０の開放状態のみにおいて前面ブロック１２１に対して開閉自在となるために、払出ブロック１２２の閉鎖状態における球式回胴遊技機１００の背面側からの操作によって払出ブロック１２２が開放されることが防止できる。したがって、着脱規制部１４が電源制御装置５７０や払出制御装置５８０に対する着脱許容位置に移動されて、電源制御装置５７０や払出制御装置５８０が着脱自在な状態になることが防止される。これらよっても、電源制御装置５７０や払出制御装置５８０に不正な改変が加えられることや、不正な改変が加えられた状態で遊技が行われることが抑制される。なお、これは、通常、遊技ホールの遊技機設置設備には、２つの遊技機がそれらの背面側を対向させて配置されるために、不正行為の対象となる遊技機の背後に設置される遊技機本体を開放した場合には不正行為の対象となる遊技機の背面側が露出されることとなり、背後の遊技機本体が開放された場合にはその遊技機の動作は監視される可能性はあったとしても、不正行為の対象となったが遊技機本体は開放されていない遊技機までは監視され難いことによる。
【０１８９】
球式回胴遊技機１００であれば、払出ブロック１２２に対する着脱規制体１０の移動が回動であるために、払出ブロック１２２に対して着脱規制体１０を並進移動自在に支持する場合に比べて、着脱規制体１４の支持構造が簡素化され、また、着脱規制体１０の移動距離を大きく確保することができる。これは、着脱規制体１０を並進移動自在に支持するためには、前面ブロック１２１側に延出するガイドレール等の誘導構造を形成しなければならないために支持構造が複雑となり、また、このような誘導構造の長さが払出ブロック１２２の閉鎖状態における前面ブロック１２１と払出ブロック１２２との間隙の幅によって制限されるために着脱規制体１０の最大移動距離もその長さによって制限されて短くなるからである。着脱規制体１０の移動距離を大きく確保できることによって、背面ブロック基体５００の背面から後方側に離隔して配置される回路装置、例えば、払出制御装置５８０に対してもその着脱を規制することができ、また、着脱規制体１０を操作するために必要な前面ブロック１２１に対する払出ブロック１２２の最小開放角度を大きく確保することもできる。
【０１９０】
球式回胴遊技機１００であれば、着脱規制体１０が払出ブロック１２２に対して一対のブロック支持機構１２４の開閉軸と実質的に平行な軸を中心として回動し、着脱規制部１４が基体部１１において着脱規制体１０の回動中心より一対のブロック支持機構１２４と反対側に位置するために、前面ブロック１２１と背面ブロック１２２とが回転によって離間する側から着脱規制体１０を操作でき、また、着脱規制体１０を操作する際の払出ブロック１２２の最小開放角度を適度に抑制できる。これによって、不正行為に対する対策を疎かにすることなく、着脱規制体１０の操作性を向上させることができる。なお、これは、払出ブロック１２２の最小開放角度が大きすぎると、払出ブロック１２２と外枠１１０との間の開放角度が小さくなりすぎて、電源制御装置５７０や払出制御装置５８０を取り外したりするための作業の作業性が低下する場合もあるからである。
【０１９１】
球式回胴遊技機１００であれば、基体部１１が背面ブロック基体５００の左右方向の中央近傍において支持され、着脱規制部１４が着脱禁止位置において背面ブロック基体５００におけるブロック支持機構１２４の開閉軸と反対側の端部近傍から払出ブロック１２２の背面側へ突出するために、着脱規制体１０を操作する際の払出ブロック１２２の最小開放角度を簡便に最適化できる。なお、着脱規制体１０の回動軸と遊技機本体１２０の開閉軸との距離が大きすぎる場合には着脱規制体１０が大型化し、一方、その距離が小さすぎる場合には着脱規制部１４を着脱禁止状態から着脱許容状態へ移行するための操作角度が大きくなり操作性が低下することともなる。また、電源制御装置５７０や払出制御装置５８０に不正な改変を行う場合の前段階として着脱規制部１４を破壊する場合が考えられるが、このような不正目的で着脱規制部１４が破損されていないかを目視によって簡便に確認できるために、電源制御装置５７０や払出制御装置５８０に不正な改変が加えられていないかの識別精度が向上する。
【０１９２】
球式回胴遊技機１００であれば、払出ブロック１２２に対する着脱規制体１０の最大開放角度が９０度であるために、着脱規制体１０の開放状態で払出ブロック１２２が閉鎖されるような誤操作が行われたとしても、着脱規制体１０や着脱規制体１０と払出ブロック１２２との連結が破損されることが抑制される。また、電源制御装置５７０や払出制御装置５８０を着脱する際には払出ブロック１２２を固定しなければならないが、着脱規制体１０が払出ブロック１２２の回転を固定するための把持部材として機能するために、不正行為に対する対策を疎かにすることなく、電源制御装置５７０や払出制御装置５８０の着脱の操作性を向上させることができる。
【０１９３】
球式回胴遊技機１００であれば、板状片２１と前面ブロック１２１との空隙が実質的になく、また、板状片２１と前面ブロック１２２との間の空間が小空間に分割されるために、電源制御装置５７０や払出制御装置５８０による制御動作を変更したりするような遊技機の動作を改変する不正装置が装着されることが極めて良好に抑制される。
【０１９４】
球式回胴遊技機１００であれば、払出ブロック１２２の開放直後において、背面ブロック基体５００の貫通孔９３と着脱規制体１０の係合爪部１３との係合により着脱規制部１４の移動が禁止されているために、着脱規制体１０に対する開放操作を行う前に貫通孔９３と係合爪部１３との係合を解除する操作が必要となり、不正行為に必要な作業時間が増加すること基づく遊技機本体１２０を開放した状態での作業における不正行為の識別力が向上する。
【０１９５】
球式回胴遊技機１００であれば、貫通孔９３と係合爪部１３とが、背面ブロック１２２の閉鎖に伴う前面ブロック１２１と板状片２１との当接に基づく着脱規制体１０の移動に応じて自動的に係合するために、背面ブロック１２２の閉鎖状態において着脱規制部１４を着脱禁止位置に確実に維持できる。これによって、不測に電源制御装置５７０や払出制御装置５８０に対して不正な改変を加えやすい状況となることが抑制される。
【０１９６】
球式回胴遊技機１００であれば、着脱規制体１０が電源制御装置５７０や払出制御装置５８０と反対側に押圧されたとしても、着脱規制体１０と被覆部１５との当接によって、着脱規制体１０が破断される程度に撓むことが抑制される。したがって、不正目的で着脱規制部１４が故意に破損されることが抑制される。
【産業上の利用可能性】
【０１９７】
本発明は、球体や円盤体を媒体とする回胴式遊技機及び球体を媒体とする弾球式遊技機等の遊技機に適している。
【符号の説明】
【０１９８】
１０：離脱規制体
１１：基体部
１２：軸体部
１３：突出爪部
１４：着脱規制部
１５：被覆部
９１：軸受け部
９２：回転規制部
９３：貫通孔
９４：貫通孔
１１０：外枠
１２０：遊技機本体
１２１：前面ブロック
１２２：払出ブロック
１２３：遊技ブロック
【図１】
2010213956.tif 000003
【図２】
2010213956.tif 000004
【図３】
2010213956.tif 000005
【図４】
2010213956.tif 000006
【図５】
2010213956.tif 000007
【図６】
2010213956.tif 000008
【図７】
2010213956.tif 000009
【図８】
2010213956.tif 000010
【図９】
2010213956.tif 000011
【図１０】
2010213956.tif 000012
【図１１】
2010213956.tif 000013
【図１２】
2010213956.tif 000014
【図１３】
2010213956.tif 000015
【図１４】
2010213956.tif 000016
【図１５】
2010213956.tif 000017
【図１６】
2010213956.tif 000018
【図１７】
2010213956.tif 000019
【図１８】
2010213956.tif 000020
【図１９】
2010213956.tif 000021
【図２０】
2010213956.tif 000022
【図２１】
2010213956.tif 000023
【図２２】
2010213956.tif 000024
【図２３】
2010213956.tif 000025
【図２４】
2010213956.tif 000026
【図２５】
2010213956.tif 000027
【図２６】
2010213956.tif 000028
【図２７】
2010213956.tif 000029
【図２８】
2010213956.tif 000030
【図２９】
2010213956.tif 000031
【図３０】
2010213956.tif 000032
【図３１】
2010213956.tif 000033
【図３２】
2010213956.tif 000034
【図３３】
2010213956.tif 000035
【図３４】
2010213956.tif 000036
【図３５】
2010213956.tif 000037
【図３６】
2010213956.tif 000038
【図３７】
2010213956.tif 000039
【図３８】
2010213956.tif 000040
【図３９】
2010213956.tif 000041
【図４０】
2010213956.tif 000042
【図４１】
2010213956.tif 000043
【図４２】
2010213956.tif 000044
【図４３】
2010213956.tif 000045
【図４４】
2010213956.tif 000046
【図４５】
2010213956.tif 000047
【図４６】
2010213956.tif 000048
【図４７】
2010213956.tif 000049
【図４８】
2010213956.tif 000050
【図４９】
2010213956.tif 000051